(57)【特許請求の範囲】
【請求項１】
マルチディスプレイにおける各表示装置の最適配置を判定する配置判定装置であって、
各表示装置は、ムラ補正の程度が互いに異なる複数のモードを有しており、
前記配置判定装置は、
ユーザの入力操作に応じて前記複数のモードのうちのいずれかのモードを選択するモード選択部と、
各表示装置について前記複数のモードの各々にて表示させた試験画像の色を示す測定値を予め格納している記憶部に記憶されている情報のうち、前記モード選択部にて選択されるモードに関する測定値を用いて、前記モード選択部にて選択されるモードにおける各表示装置の最適配置を判定する配置判定部と、を備えた配置判定装置。
【請求項２】
前記複数のモードは、少なくとも第１および第２モードを含み、
第１および第２モードは、いずれも、較正処理を実行して得られる色ムラ補正用データを用いて、表示パネルに表示させる映像の映像データに対して画素毎の色ムラ補正を行うモードであり、
前記第２モードは、各画素に対して一律に前記映像データの階調値を低輝度側にシフトさせる階調制限処理を行うことによって前記第１モードよりも前記階調値を低輝度側に抑制した上で前記色ムラ補正を施すようになっていることを特徴とする請求項１に記載の配置判定装置。
【請求項３】
各表示装置の識別情報と各表示装置の位置情報とを対応付けた情報を判定結果として表示部に表示させる結果出力部を備えた請求項１または２に記載の配置判定装置。
【請求項４】
前記マルチディスプレイを構成する表示装置毎に、前記モード選択部にて選択されるモードについて、（ａ）所定の基準階調に対応する試験画像を表示させる場合の前記測定値の目標値であって各表示装置に共通の目標値と、前記基準階調に対応する試験画像を表示させる場合の前記測定値との色差を算出し、（ｂ）前記基準階調の試験画像を表示させる場合の前記測定値を前記目標値に近づけるために前記基準階調に対して設定する調整値を前記色差に基づいて算出する調整値算出部を備えたことを特徴とする請求項１から３のいずれか１項に記載の配置判定装置。
【請求項５】
マルチディスプレイにおける各表示装置の最適配置を判定する配置判定方法であって、
各表示装置は、ムラ補正の程度が互いに異なる複数のモードを有し、
表示装置ごとに前記複数のモードの各々において表示装置に表示させた試験画像の色を示す測定値を測定する測定工程と、
前記測定工程にて得られた測定値のうち、前記複数のモードのうちユーザに指定されている指定モードに関する測定値を参照して、前記指定モードにおける各表示装置の最適配置を判定する判定工程と、を含む配置判定方法。
【請求項６】
請求項１から４のいずれか１項に記載の配置判定装置としてコンピュータを機能させるためのプログラムであって、コンピュータを前記各部として機能させるプログラム。
【請求項７】
請求項６に記載のプログラムを記録したコンピュータ読み取り可能な記録媒体。
【発明の詳細な説明】
【技術分野】
【０００１】
本発明は、複数の表示装置を配列させてなるマルチディスプレイにおける表示装置の最適配置を判定する配置判定装置に関する。
【背景技術】
【０００２】
複数の表示装置を配列させてなるマルチディスプレイにおいては、配置パターンが複数通り考えられるが、いずれのパターンであってもマルチディスプレイ全体での画質が同一というわけではない。これは、表示装置毎にスペックや特性にバラツキがあるため、表示装置同士の画質のムラが目立つような配置パターンがあれば、当該ムラが比較的目立たない配置パターンもあるためである。
【０００３】
したがって、マルチディスプレイについては、画質が最適になるような配置パターンを判定し、この配置パターンで全表示装置を配列させることが望ましい。この点、特許文献２には、表示装置毎に試験画像を表示させて輝度および色度を測定し、測定結果に基づいて表示品質が最適となる配置パターンを判定する判定方法が開示されている。
【先行技術文献】
【特許文献】
【０００４】
【特許文献１】特開２０１３−９７１１５号公報
【特許文献２】特開２０１４−２６１２０号公報
【発明の概要】
【発明が解決しようとする課題】
【０００５】
表示装置には、特許文献１に示すように、輝度ムラ補正におけるムラ抑制度を互いに異ならせる複数のモードを有し、使用者によってモードの切り替えが行われるものがある。ここで、複数のモードを有する表示装置を配列させてマルチディスプレイを構成する場合、ある配置パターンが、あるモードでは最適であっても、別のパターンでは最適ではない事があるが、この事は、従来知られておらず、本願発明者が知見したものである。
【０００６】
つまり、複数のモードを有する表示装置に対して単に特許文献２の方法を適用しても、実使用時に設定されるモードで測定が行われているとは限らず、実使用時に設定されるモードに最適な配置判定結果が得られないことがある。
【０００７】
本発明は、以上の課題に鑑みてなされたものであり、ムラ補正の程度が互いに異なる複数のモードを有する表示装置を用いたマルチディスプレイについて、最適な配置を判定する配置判定装置を提供することを目的とする。
【課題を解決するための手段】
【０００８】
上記の課題を解決するために、本発明の一態様は、マルチディスプレイにおける各表示装置の最適配置を判定する配置判定装置であって、各表示装置は、ムラ補正の程度が互いに異なる複数のモードを有しており、前記配置判定装置は、ユーザの入力操作に応じて前記複数のモードのうちのいずれかのモードを選択するモード選択部と、各表示装置について前記複数のモードの各々にて表示させた試験画像の色を示す測定値を予め格納している記憶部に記憶されている情報のうち、前記モード選択部にて選択されるモードに関する測定値を用いて、前記モード選択部にて選択されるモードにおける各表示装置の最適配置を判定する配置判定部と、を備えている。
【発明の効果】
【０００９】
本発明の一態様によれば、複数モードの各々にて補正された試験画像を測定した測定値のうち、ユーザに指定されたモードの測定値を用いて、ユーザに指定されたモードでの最適配置を判定している。それゆえ、ムラ補正の程度が互いに異なる複数のモードを有する表示装置を用いたマルチディスプレイについて、実使用時のモードに対する最適な配置を判定できるという効果を奏する。
【図面の簡単な説明】
【００１０】
【図１】実施形態１の表示較正システムの概略構成を示すブロック図である。
【図２】基準データを示した図である。
【図３】基準データに示されるＲＧＢ値の各組を各格子点とした色空間（空間格子）を示した模式図である。
【図４】図３に示される色空間に属する単位格子であり、（１９２、１９２、１９２）の格子点と（２２４,２２４，２２４）の格子点とを含む単位格子を示した模式図である。
【図５Ａ】色ムラ補正用テーブルに示されているデータのうち、１画素分の補正量を示したデータである。
【図５Ｂ】色ムラ補正用テーブルに示されているデータのうち、１画素分の補正量を示したデータであり、図５Ａの例とは異なる例を示したものである。
【図６】色ムラ補正用テーブルにおいて補正量が示されている２７組のＲＧＢ値の各組を各格子点として示した色空間である。
【図７】色ムラ補正マップを模式的に示した図である。
【図８】インデックスマップを模式的に示した図である。
【図９】表示装置のバックライトを模式的に示した図である。
【図１０】表示装置を単体で使用する場合の表示画面の輝度ムラを模式的に示した図である。
【図１１】一様な映像を表示させた場合の表示装置の輝度分布をモード毎で示した図であり、縦軸は輝度を示し、横軸は表示画面上の位置を示す。
【図１２】各モードにおける輝度ムラ抑制の程度を比較した図である。
【図１３】本実施形態の表示装置を配列してなるマルチディスプレイにおいて、一様な映像を各モードで表示させた場合の表示画面と輝度分布とを模式的に示す図である。
【図１４】表示装置において表示可能なＲＧＢ値の範囲を示す色空間のうち、階調制限処理による調整後のＲＧＢ値の分布範囲を示した図である。
【図１５】階調制限処理による調整後のＲＧＢ値の取り得る範囲を色空間として示した図である。
【図１６】スプライン補間によって得られる各入力階調値に対する補正値を示した図である。
【図１７Ａ】モード設定を行うためのＵＩを模式的に示す図である。
【図１７Ｂ】モード設定を行うためのＵＩを模式的に示す図であり、図１７Ａとは異なる例を示した図である。
【図１８】実施形態２の配置判定システムの概略構成を模式的に示した図である。
【図１９】図１８の生産工程で行われる処理の流れを示したフローチャートである。
【図２０】モードと測定データセットとの関係を示した表である。
【図２１】図１８の設置サーバに格納されており、測定データセットを蓄積してなるデータベースを示した図である。
【図２２】図１８の設置工程における処理の流れを示したフローチャートである。
【図２３】実施形態２のマルチディスプレイを構成する各表示装置に設定される参照領域を模式的に示した図である。
【図２４】実施形態２のマルチディスプレイを構成する各表示装置に設定される参照領域を模式的に示した図であり、図２３とは異なる例を示した図である。
【図２５】設置工程の概要を示した説明図である。
【図２６】最適配置判定処理において求められる色差ΔＥを説明するための図である。
【図２７】配置判定装置のモニタにて表示されるＵＩを示す図である。
【図２８】配置判定装置のモニタにて表示されるＵＩを示す図であり、図２７の例とは異なる例を示す図である。
【図２９】実施形態４の調整値を算出する際に設定される対象ポイントを示す説明図である。
【発明を実施するための形態】
【００１１】
[実施形態１（参考例）]
以下、本実施形態について図を参照して説明する。なお、本実施形態において、色ムラとは、表示装置の構造上の要因による画素毎の特性の相違等に起因して画素毎の色（計測される値から求められる色度等）にバラつきが生じる現象を指す。また、輝度ムラとは、バックライトの特性等の相違に起因して表示画面の中央部から端部に近づくにつれて輝度（計測される輝度）が低くなる現象、および、画素毎の特性の相違等に起因して画素毎の輝度にバラツキが生じる現象を指す。
【００１２】
（表示較正システムの構成）
図１に示すように、本実施形態の表示較正システム１は、表示装置１０、システム制御装置（コンピュータ）４０、および測定装置５０を含む。表示装置１０は、インターフェース２０、制御部２５、記憶部２６、操作部２８、および、表示部１４を備えている。
【００１３】
インターフェース２０は、ＴＭＤＳ（Transition Minimized Differential Signaling）方式でシリアル通信するためのＤＶＩ（Digital Visual Interface）端子２１およびＨＤＭＩ（High-Definition Multimedia Interface）端子２２と、ＴＣＰ（Transmission Control protocol）またはＵＤＰ（User Datagram Protocol）等の通信プロトコルで通信するためのＬＡＮ端子２３やＲＳ２３２Ｃ端子２４等と、Display Port端子（不図示）等とを含む。
【００１４】
インターフェース２０は、後述する制御部２５の統括制御部３１からの指示に従って、ＤＶＩ端子２１、ＨＤＭＩ（登録商標）端子２２、Display Port端子、ＬＡＮ端子２３、または、ＲＳ２３２Ｃ端子２４等に接続された外部装置（周辺機器）との間でデータを送受信する。インターフェース２０は、さらに、ＵＳＢ端子、ＩＥＥＥ１３９４端子を備えるようにしてもよい。
【００１５】
記憶部２６は、ハードディスクまたは半導体メモリ等の情報記憶装置であり、制御部２５にて扱われる各種データが保存される。制御部（映像処理装置、制御装置）２５は、表示装置１０を制御するコンピュータまたは制御回路であり、統括制御部３１、映像データ処理部３２、音声信号処理部３３、パネルコントローラ３４、較正処理部３５、ムラ補正部３６を備える。
【００１６】
統括制御部３１は、表示装置１０の各ハードウェアを統括的に制御するブロックである。映像データ処理部３２は、インターフェース２０を介して外部装置から映像データ（表示部１４に表示させる映像のデータ）が入力されると、この映像データに所定の処理を施すブロックである。なお、本実施形態で扱われる映像データは、８ビットのデジタルデータであり、Ｒ（赤），Ｇ（緑），Ｂ（青）の色成分毎に階調値（０〜２５５）を示すものとする。また、階調値が小さいほど暗くなり（輝度が低くなる）、階調値が大きいほど明るくなる（輝度が高くなる）。音声信号処理部３３は、インターフェース２０を介して外部装置から入力される音声信号（表示部１４のスピーカから出力される音声の信号）に所定の処理を施すブロックである。
【００１７】
較正処理部３５は、色ムラ補正用の補正量（補正にて調整される量）を画素毎に求め、当該補正量を画素毎に示した色ムラ補正用テーブルを作成する較正処理を行うブロックである。作成された色ムラ補正用テーブルは記憶部２６に保存される。
【００１８】
ムラ補正部（補正部）３６は、記憶部２６に記憶されている色ムラ補正用テーブルを用いて、表示部１４に表示させる映像の映像データを補正するブロックである。なお、ムラ補正部３６は、映像データ処理部３２の処理後の映像データに対して処理を行うようになっていてもよいし、映像データ処理部３２の処理前の映像データに対して処理を行うようになっていてもよい。
【００１９】
パネルコントローラ３４は、表示部１４を制御して、映像データ処理部３２およびムラ補正部３６にて処理された映像データの映像を表示部１４に表示させるものである。また、パネルコントローラ３４は、システム制御装置４０からの指示に応じて、較正処理用の試験画像を表示部１４に表示させるようにもなっている。
【００２０】
操作部２８は、ユーザが各種指示を入力するための操作部材である。統括制御部３１は、操作部２８やリモートコントローラからの入力指示に応じて、表示装置１０の動作制御を行うブロックである。例えば、統括制御部３１は、操作部２８に含まれる電源スイッチによる操作指示に応じて、表示装置１０の各ハードウェアへの電力供給の有無を切り替えるようになっている。
【００２１】
表示部（表示パネル）１４は、例えば、液晶表示装置（ＬＣＤ）、プラズマディスプレイパネル、有機ＥＬ表示装置等であり、パネルコントローラ３４に制御されることで映像を表示するようになっている。
【００２２】
測定装置５０は、表示部１４の表示画面に表示される試験画像を撮影し、この撮影で得られる測定装置５０の画素毎の色の測定値（例えばＸＹＺ値等の測定値）を測定データとして出力する装置である。なお、試験画像とは、各色成分の入力階調値を全ての画素で同一とした画像である。例えば、全ての画素のＲＧＢ値が（２５５，０，０）となる試験画像は赤色の試験画像である。
【００２３】
測定装置５０としては、トプコン社製の輝度色度測定装置（ＵＡ−１０００Ａ等）やコニカミノルタ社製の２次元色彩輝度計（ＣＡ−２０００等）のような面輝度計、ニコン社やソニー社等の高精細デジタルカメラ、または、産業用カメラ等を使用できる。
【００２４】
測定装置５０は、ＵＳＢ（Universal Serial Bus）等の入出力端子を備えており、入出力端子を介してシステム制御装置４０に通信可能に接続されている。
【００２５】
システム制御装置４０は、較正処理を行うために表示装置１０および測定装置５０を制御する制御装置である。システム制御装置４０としては、プロセッサや記憶部を備えた汎用のパーソナルコンピュータが挙げられる。
【００２６】
システム制御装置４０は、上述のように測定装置５０と通信可能に接続されているのみならず、表示装置１０ともＲＳ２３２Ｃ端子等を介して通信可能に接続されている。また、システム制御装置４０には、表示装置１０および測定装置５０と通信してこれら装置を制御するアプリケーションがインストールされている。
【００２７】
オペレータが較正処理指示をシステム制御装置４０に入力すると、システム制御装置４０は、表示装置１０に試験画像を表示させ、測定装置５０に測定要求を送信する。測定要求を受けた測定装置５０は、表示装置１０に表示されている試験画像を撮影し、測定データをシステム制御装置４０に送信し、システム制御装置４０は、この測定データを保存する。システム制御装置４０は、測定データの保存後、表示装置１０に表示させる試験画像を切り替える。例えば、全ての画素のＲＧＢ値が（２５５，０，０）となる赤色試験画像を表示し、この赤色試験画像について測定データを保存した後、全ての画素のＲＧＢ値が（０，２５５，０）の緑色試験画像の表示に切り替えられる。
【００２８】
その後、以上の「撮影」「送信」「保存」「試験画像の切り替え」の一連の動作が繰り返され、較正処理にて使用される全ての試験画像について前記の一連の動作が終了次第、システム制御装置４０は、測定装置５０を用いた測定を終了させる。測定装置５０を用いた測定を終了させると、システム制御装置４０は、表示装置１０に対して測定データと較正処理の指示とを送信する。
【００２９】
測定データおよび較正処理の指示を受けた統括制御部３１は、測定データを記憶部２６に保存させ、較正処理部３５に較正処理を実施させる。
【００３０】
（較正処理部３５）
つぎに、図１に示す較正処理部３５を説明する。較正処理部３５は、表示部１４に表示される試験画像の測定が測定装置５０にて行われた後、測定にて得られた測定データを入力して、測定データに基づいて較正処理を行うブロックである。なお、以下の説明では、１つの試験画像の撮影から得られる測定データを１つの測定データとする。つまり、１つの測定データは、１つの試験画像を撮影して得られるデータの集合であり、測定装置５０の各画素の測定値（例えば、ＸＹＺ値等）の集合である。
【００３１】
まず、較正処理部３５は、測定データの全画素のうち、表示部１４の表示画面に相当する画素領域を抽出する抽出処理を行う。なお、較正処理部３５は、各試験画像から得られる各測定データを比較して色の異なる箇所を検出することによって、表示部１４の表示画面に相当する画素領域を判別できるようになっている。
【００３２】
つぎに、較正処理部３５は、抽出処理後の測定データのサイズ（画素数）を調整するサイズ調整処理（補間処理）を行う。これは、測定データの画素数を表示画面の画素数に合わせ、測定データの各画素と表示部１４の各画素とを１対１で対応させるための措置である。つまり、サイズ調整処理後の測定データの画素毎の測定値は、表示部１４の画素毎の表示色の測定値に対応する。測定値は、測定装置５０にて測定された値、または、この値を補間して得られる演算値であり、本実施形態では三刺激値（Ｘ，Ｙ,Ｚ）が用いられている。つまり、測定データの１画素当たりの測定値は、Ｘ値、Ｙ値、Ｚ値から構成される。
【００３３】
続いて、較正処理部３５は、サイズ調整後の測定データと、予め記憶されている基準データとを用いて、表示部１４の画素毎に、色ムラ補正用の補正量を求める。補正量の算出方法については後述する。
【００３４】
基準データとは、表示装置１０の製造時に表示装置１０の内部のＲＯＭ（不図示）に格納されるデータであり、同一機種の全ての表示装置１０に対して共通して使用されるデータである。具体的には、基準データは、図２に示されるように、入力階調値（ＲＧＢ値）と、この入力階調値に対して基準として設定されるＸＹＺ値（基準値）との対応関係を示すデータである。
【００３５】
基準データは、以下のように作成される。最初に、工場において、量産される同一機種の表示装置１０の中から、１台若しくは数台の基準機が選ばれ、基準となる測定器（基準測定器）が指定される。つぎに、基準機において所定数（図２の例の場合は７２９枚）の試験画像の各々を順に表示していき、基準測定器を用いて各試験画像について測定を行う。そして、試験画像から得られる測定データから基準値を算出し、当該試験画像の入力階調値（ＲＧＢ値）と、当該試験画像から得られる測定データから算出された基準値（ＸＹＺ値）との対応関係を基準データとして生成する。すなわち、基準データは、複数組の試験画像の各々について、入力階調値と基準値との対応関係を示したデータである（図２を参照）。
【００３６】
なお、測定データから基準値を算出する手法は色々ある。例えば、測定データのうち、表示画面の中央部（例えば中心画素を含む全表示面積の２０％の面積の範囲）に含まれる画素の測定値の平均値を基準値としたり、所定の複数点の画素の測定値の平均値を基準値としたり、全画素の測定値のなかの最大値、最小値、あるいは平均値を基準値としてもよい。
【００３７】
（補正量の算出方法）
つぎに、色ムラ補正用の補正量の求め方を説明する。前述のように映像データが８ビット（階調値が０〜２５５）である場合、０、３２、６４、９６、１２８、１６０、１９２、２２４、２５５の９つの階調値から設定可能なＲＧＢの全ての組み合わせについて（９×９×９=７２９組）、対応するＸＹＺ値（基準値）を示した基準データを表示装置１０に保持させている（図２を参照）。但し、階調値（画素値と称してもよい）の個数や数値については、これらに限定するものではない。
【００３８】
ここで、図３は、基準データに示されるＲＧＢ値の各組を各格子点としたＲＧＢの色空間である。つまり、この色空間は、７２９個の格子点と５１２個の単位格子とからなる。なお、図３の色空間上の各格子点に示される値は記号であり、各格子点の記号と階調値との関係は同図の表に記載されているとおりである（この点は図６においても同様とする）。また、図３では、ＲＧＢ値のうちの少なくともいずれかの値に９６〜２２４を含む格子点については、便宜上省略されているが、実際には存在するものとする。
【００３９】
そして、本実施形態では、測定装置５０を用いた測定において、３２、１２８、２２４の階調値から設定可能なＲＧＢの全ての組み合わせについて（３×３×３＝２７組）、試験画像を表示して測定したものとする。つまり、ＲＧＢ値が（３２，３２，３２）、（３２，３２，１２８）、（３２，３２，２２４）、・・・、（２２４，２２４，２２４）の各々について、試験画像を表示してＸＹＺ値の測定を行って測定データを生成したものと仮定する。
【００４０】
以下では、ＲＧＢ値が（２２４、２２４、２２４）の試験画像から得られる測定データから、色ムラ補正用の補正量を画素毎に算出する処理を例示して説明する（つまり、入力階調（２２４、２２４、２２４）の時の補正量を画素毎に算出する処理を説明する）。
【００４１】
表示部１４において画素毎に色ムラがある場合、ＲＧＢ値が（２２４,２２４,２２４）の試験画像から得られた測定データの各画素のＸＹＺ値（測定値）を、変換マトリクスによってＲＧＢ値に変換すると、変換された値と（２２４,２２４,２２４）との間には差が生じるが、この差が補正すべき量になる。
【００４２】
例えば、ＲＧＢ値が（２２４,２２４,２２４）に対応する基準値（ＸＹＺ値）は（５５７．９，５６２．１，８４３．３）であり、ＲＧＢ値が（１９２，１９２，１９２）に対応する基準値は（４０５．７，４０６．８，６２０．１）である（図２参照）。
【００４３】
そこで、ＲＧＢ値が（２２４,２２４,２２４）の試験画像を表示して測定した場合の測定データの或る画素の測定値が（４０５．７≦Ｘ≦５５７．９，４０６．８≦Ｙ≦５６２．１，６２０．１≦Ｚ≦８４３．３）を満たす場合、図３の色空間のうち、（２２４,２２４,２２４）の格子点と（１９２，１９２，１９２）の格子点とを含有する単位格子内に当該画素の測定値（Ｘａ，Ｙａ，Ｚａ）を示す点ａが位置することになる（図４を参照）。ここで、（Ｘａ，Ｙａ，Ｚａ）に対応するＲＧＢ値を（Ｒａ，Ｇａ，Ｂａ）として求め、試験画像のＲＧＢ値（２２４,２２４，２２４）を基準点とし、基準点と（Ｒａ，Ｇａ，Ｂａ）との差が補正量となるので、補正量は下記のようになる。
Ｒの補正量＝２２４−Ｒａ      式Ｄ１
Ｇの補正量＝２２４−Ｇａ      式Ｄ２
Ｂの補正量＝２２４−Ｂａ      式Ｄ３
そして、（Ｘａ，Ｙａ，Ｚａ）に対応する（Ｒａ，Ｇａ，Ｂａ）の算出は、式１に示すように３×３のマトリクスを用いて行うことができる。
【００４４】
【数１】
0006378031.tif 000002
【００４５】
ここで、式１のマトリクスの係数ａ〜ｉとしては、ｓＲＧＢやＡｄｏｂｅＲＧＢ、ＣＩＥＲＧＢ方式等の規格で定められている値を用いても良いが、表示装置１０の個々の特性に起因して正確な変換が行われない可能性がある。そこで、較正処理を行なう表示装置１０の機種に対応する基準データを参照して係数ａ〜ｉを求めれば、個々の表示装置の特性に適した変換が可能になる。具体的には、基準データのうち、ＲＧＢ値とＸＹＺ値との組を３組利用すれば、式２のように考えることで係数ａ〜ｉを求めることができる。
【００４６】
【数２】
0006378031.tif 000003
【００４７】
なお、係数ａ〜ｉを求めるため、式２を以下の式３のように変形する。
【００４８】
【数３】
0006378031.tif 000004
【００４９】
式２または式３において、ＲＧＢ値が（Ｒ１，Ｇ１，Ｂ１）の場合の基準値を（Ｘ１，Ｙ１，Ｚ１）、（Ｒ２，Ｇ２，Ｂ２）の場合の基準値を（Ｘ２，Ｙ２，Ｚ２）、（Ｒ３，Ｇ３，Ｂ３）の場合の基準値を（Ｘ３，Ｙ３，Ｚ３）とする。そして、図４に示すように、（Ｘａ，Ｙａ，Ｚａ）を示す点ａが含まれる単位格子において、試験画像のＲＧＢ値を示す基準点（２２４,２２４，２２４）と隣接する３つの格子点を（Ｒ１，Ｇ１，Ｂ１）〜（Ｒ３，Ｇ３，Ｂ３）として用いる。
【００５０】
つまり、図４のように、（Ｒ１，Ｇ１，Ｂ１）＝（１９２，２２４，２２４）、（Ｒ２，Ｇ２，Ｂ２）＝（２２４，１９２，２２４）、（Ｒ３，Ｇ３，Ｂ３）＝（２２４，２２４，１９２）となる。
【００５１】
そして、（Ｒ１，Ｇ１，Ｂ１）〜（Ｒ３，Ｇ３，Ｂ３）の値を式３に代入し、（Ｒ１，Ｇ１，Ｂ１）〜（Ｒ３，Ｇ３，Ｂ３）に対応する（Ｘ１，Ｙ１，Ｚ１）〜（Ｘ３，Ｙ３，Ｚ３）の値を図２の基準データから読み取って式３に代入する。これにより、係数ａ〜ｉが求められる。
【００５２】
求めた係数を式１に代入し、ＲＧＢ値が（２２４,２２４,２２４）の試験画像を測定したときの測定値（Ｘ，Ｙ，Ｚ）を式１に代入することで、図４の（Ｒａ，Ｇａ，Ｂａ）が求まり、Ｒａ，Ｇａ，Ｂａを、前述した式Ｄ１〜Ｄ３に代入することで補正量を算出できる。
【００５３】
つまり、以上の手順によれば、試験画像を表示して測定した場合の測定データの測定値が図３に示す色空間（空間格子）のうちのどの単位格子に含まれるかを検出する。検出した単位格子のうち、試験画像のＲＧＢ値を示す格子点に隣接する３つの格子点のＲＧＢ値とＸＹＺ値とを基準データから読み取り、これら値から変換マトリクスの係数を求める。そして、変換マトリクスを用いて測定値をＲＧＢ値に変換し、試験画像のＲＧＢ値と変換したＲＧＢ値との差を補正量として求めている。
【００５４】
なお、測定値（Ｘ，Ｙ,Ｚ）が含まれる単位格子は以下のようにして検出する。まず、図３に示す色空間に属する単位格子毎に、ＲＧＢ値の最小値の組み合わせである（Ｒmin,Ｇmin，Ｂmin）と、ＲＧＢ値の最大値の組み合わせである（Ｒmax,Ｇmax，Ｂmax）と、基準データにて（Ｒmin,Ｇmin，Ｂmin）に対応する基準値である（Ｘmin,Ｙmin，Ｚmin）と、基準データにて（Ｒmax,Ｇmax，Ｂmax）に対応する基準値である（Ｘmax,Ｙmax，Ｚmax）とを求めるか、予め記憶部２６に記憶しておく。そして、（Ｘmin≦Ｘ≦Ｘmax，Ｙmin≦Ｙ≦Ｙmax，Ｚmin≦Ｚ≦Ｚmax）の関係を満たす単位格子を、測定値（Ｘ，Ｙ,Ｚ）が含まれる単位格子として検出する。
【００５５】
以上のようにすることで、画素毎に、試験画像のＲＧＢ値（２２４，２２４，２２４）を入力階調とする場合の補正量を求めることができる。そして、ＲＧＢ値が（２２４，２２４，２２４）以外の２６組の試験画像についても、同様に補正量を求める。
【００５６】
これにより、ＲＧＢ値が（３２，３２，３２）、（３２，３２，１２８）、（３２，３２，２２４）、・・・、（２２４，２２４，２２４）の２７組の入力階調値の組み合わせについて、画素毎に補正量が求まることになる。
【００５７】
そして、較正処理部３５は、図５Ａに示すように、２７組の入力階調値の各組について補正量を示した補正量情報を画素毎に作成する。図５Ａは、１画素当たりの補正量情報である。較正処理部３５は、図５Ａに示す補正量情報を全画素について示した色ムラ補正用テーブルを作成し、記憶部２６に保存する。つまり、図５Ａに示す情報は１画素当たりの補正量情報であるが、表示部１４の画素の数だけ図５Ａの補正量情報が記憶部２６に格納されることになる。
【００５８】
（色ムラ補正用テーブルを用いた色ムラ補正）
ムラ補正部３６は、表示部１４に表示させる映像の映像データを入力すると、画素毎のＲＧＢ値に対して、色ムラ補正用テーブルを用いた色ムラ補正を行うようになっている。以下では、色ムラ補正用テーブルを用いた色ムラ補正について説明する。なお、以上では、３２、１２８、２２４から組み合わせ可能な２７組のＲＧＢ値について画素毎に補正量を求める例を説明したが（図５Ａ参照）、以下では、説明の便宜上、０、１２８、２５５から組み合わせ可能な２７組のＲＧＢ値について画素毎に補正量を求め、色ムラ補正用テーブルが作成されたケースを前提として説明する。つまり、図５Ｂに示されるように、１画素当たりで、（０，０，０）、（０，０，１２８）、（０，０，２５５）、・・・（２５５、２５５、２５５）の２７組の入力階調値に対する補正量が求められており、これら補正量を画素毎に示した色ムラ補正用テーブルが記憶部２６に保持されている。
【００５９】
ここで、図６は、色ムラ補正用テーブルにおいて補正量が示されている２７組のＲＧＢ値の各組を各格子点として示したＲＧＢの色空間である。図６に示される各格子点に対応するＲＧＢ値の組に対して色ムラ補正処理を行う場合、色ムラ補正用テーブルにおいて当該ＲＧＢ値の組に対応付けられている補正量を読み出し、この補正量を用いて階調値を調整することによって色ムラ補正を行う。
【００６０】
これに対し、図６の２７個の格子点に対応するＲＧＢ値の組以外のＲＧＢ値の組に対して色ムラ補正処理を行う場合（つまり色ムラ補正用テーブルに示されるＲＧＢ値の組以外のＲＧＢ値の組に対して色ムラ補正処理を行う場合）、図６の色空間において、補正の対象となるＲＧＢ値の組を示す位置の周辺の格子点を検出し、検出した格子点の補正量を用いて補間することで、補正の対象となるＲＧＢ値の組に対する補正量を求め、この補正量を用いて階調値を調整すればよい。つまり、色ムラ補正用テーブルに補正量が示されていないＲＧＢ値の組については、色ムラ補正用テーブルに示されている補正量を補間して補正量を求めればよい。なお、この場合の補間方法としては、線形補間、スプライン補間、四面体補間等を用いることができる。
【００６１】
（モード切替）
また、本実施形態のムラ補正部３６は、高輝度モードと輝度ムラ抑制優先モードと中間モードとを切り替えることにより、表示画面全体の疑似的な輝度ムラ抑制の程度がモードに応じて変化するように色ムラ補正処理を行うようになっている。以下では、この点を詳細に説明する。
【００６２】
本来の色ムラ補正（以下にて説明するモード切替を行うことなく単に色ムラ補正を行うだけの形態）は、各画素のスペックのバラツキに起因した画素毎の色ムラを抑制することを主目的としている。そして、輝度ムラの抑制については本来であれば輝度ムラ補正によって行なわれる。そのため、本来の色ムラ補正では、基本的には輝度成分について極力影響を与えないようにしている。例えば、Ｒ、Ｇ、Ｂの各成分を「＋１０、＋８、＋９」とするような補正は行なわれず、このような場合にはＲ、Ｇ、Ｂの各成分を各々「＋１、−１、０」というような補正を行うことで、輝度成分の増減を極力抑制しつつ色ムラを補正している（なお、輝度ムラ補正を行わずに、色ムラ補正を行っても、色ムラが抑制されることに伴い疑似的な輝度ムラ抑制の効果が生じる）。
【００６３】
つぎに、輝度ムラについて説明する。例えば、サイネージやインフォメーションディスプレイのように高輝度を必要とする表示装置における輝度の仕様が７００ｃｄ／ｍ２になっている場合、７００ｃｄ／ｍ２という値は、表示画面のすべての位置における輝度を表しているのではなく、表示画面の中央部での輝度を表し、表示画面の端部（表示画面のうちべゼルの近傍）の輝度は中央部よりも低くなっていることがある。この理由は以下の通りである。
【００６４】
図９に示すように、バックライトとしてＬＥＤを用いる場合、画素毎にＬＥＤを設けるのではなく、数十から数百程度の画素に対して１つのＬＥＤをバックライトとして設けられることが多い。このようなディスプレイの構造やＬＥＤバックライトの特性の関係上、図９に示すように、表示画面の中央部では、その周囲の全方向にバックライトが有るため、隣接するＬＥＤ同士で互いに光を補って輝度の落ち込みを無くすことができる。これに対し、表示画面の端部では、表示画面の外側にバックライトが無いことから、中央部と比較すると輝度の低下が発生する傾向にある。それゆえ、表示装置では、通常、表示画面中央部の輝度を端部の輝度に近づけるように中央部の輝度を抑制する輝度ムラ補正が行われるように設定されている。つまり、表示画面全体の輝度（明るさ）を敢えて落とすことにより、中央部と端部との輝度差（輝度ムラ）を抑制している。
【００６５】
その一方、サイネージやインフォメーションディスプレイの場合、周囲が明るい環境の場合でも表示映像を見易くするという要求や、遠くにいる人に対しても見易くするという要求があるため、可能な範囲で高輝度にて表示する事が望ましい。しかし、輝度ムラ補正では、明るい部分の輝度を暗い部分の輝度に近づけるように補正が行われるため、表示画面全体の輝度を高く保つことと、輝度ムラを完全に無くして表示画面全体を均一にすることとは、トレードオフの関係にある。
【００６６】
これに対し、表示装置のスペックにもよるが、階調値が一様な映像を表示させた時の表示画面の端部の輝度が中央部の輝度の所定割合（例えば９０％）以上であれば、表示画面の端部の輝度の落ち込みがあってもそれほど目立たない（図１０Ｂ参照）。
【００６７】
そこで、サイネージやインフォメーションディスプレイ用の表示装置については、表示画面の中央部の輝度を端部の輝度に近づけるような輝度ムラ補正を敢えて行わずに（或いは輝度ムラ補正を若干行うが輝度ムラをある程度残す）、色ムラ補正を行うように設定されているものがある。このようにすることで、輝度ムラが残るものの使用するには目立たないレベルにでき、表示画面全体の輝度（明るさ）を高く保つことができる。このような理由から、サイネージやインフォメーションディスプレイ用の表示装置における輝度の仕様が７００ｃｄ／ｍ２になっている場合、７００ｃｄ／ｍ２という値は、表示画面のすべての位置における輝度を表しているのではなく、表示画面の中央部での輝度を表し、表示画面の端部の輝度が中央部よりも低くなっていることがある。
【００６８】
ところで、このようにサイネージやインフォメーションディスプレイ向けに設計された表示装置は、１台で使用する時には輝度ムラが目立たないが、マルチディスプレイを構成する表示装置として利用すると、輝度ムラが目立って知覚され易くなる。これは、隣り合う表示装置同士では輝度の落ち込みの程度が異なっていたり、複数台で１つの画像を表示することで、１台ではあまり注視されていなかった表示面端部を注視したりするようになるためである。
【００６９】
つまり、サイネージ向けに設計された表示装置（表示部端部の輝度が中央部よりも低下するようになっている表示装置）であっても、マルチディスプレイとして使用する場合には、それ以外の用途の場合よりも、輝度ムラ抑制度を向上させる必要がある。
【００７０】
これに対し、本実施形態の表示装置１０では、色ムラ補正の他に、画素毎の輝度ムラ補正を行うという構成を採用するのではなく、色ムラ補正を行うムラ補正部３５のモードを高輝度モードと輝度ムラ抑制優先モードと中間モードとに切り替えることにより、色ムラ抑制に伴う疑似的な輝度ムラ抑制の程度をモードに応じて変化させる構成を採用する。
【００７１】
具体的には、本実施形態の表示装置１０は、輝度が高いが輝度ムラ抑制度の低い高輝度モードと、輝度は低いが輝度ムラ抑制度の高い輝度ムラ抑制優先モードと、高輝度モードと輝度ムラ抑制優先モードとの中間的なモード（画面全体の輝度は、高輝度モードよりも低いが輝度ムラ抑制優先モードよりも高く、疑似的な輝度ムラ抑制度は、高輝度モードよりも高いが輝度ムラ抑制優先モードよりも低い）である中間モードとの３つのモードを備えており、統括制御部（切替部）３１が、利用者の入力指示に応じて、３つのモードのうちのいずれか１つのモードを設定するようになっている（設定されるモードが切り替わる）。これにより、用途に応じて、モードを切り替えることで疑似的な輝度ムラ抑制度を変化させている。
【００７２】
つぎに、各モードについて図１１および図１２に基づいて詳細に説明する。図１１は、一様な映像を表示させた場合の表示装置の輝度分布をモード毎で示した図であり、縦軸は輝度（測定値）を示し、横軸は表示画面における位置を示す。図１２は、各モードの擬似的な輝度抑制の程度を比較した説明図である。
【００７３】
輝度ムラ抑制優先モードは、ムラ補正部３６が、各画素に対して一律に、色ムラ補正前の色成分毎の階調値（入力階調値）を低階調側にシフトさせる階調制限処理を行い、その後に予め求めてある色ムラ補正用テーブルを用いて色ムラ補正を行うモードである（なお、本実施形態では、階調が低くなるほど暗くなる）。
【００７４】
高輝度モードは、輝度ムラ抑制優先モードで行われる階調制限処理を行わずに、ムラ補正部３６が、色ムラ補正用テーブルを用いて色ムラ補正処理を行うモードである。
【００７５】
中間モードは、ムラ補正部３６が、前記階調制限処理を行い、その後に予め求めてある色ムラ補正用テーブルを用いて色ムラ補正を行うモードであるが、前記階調制限処理における前記シフトの程度（補正強度）を前記輝度ムラ抑制優先モードよりも抑えるモードである。
【００７６】
つぎに、前述した階調制限処理を行う理由を説明する。図１２の符号２００は、バックライトの発光輝度を最大として、全画素のＲＧＢ値を（２５５，２５５，２５５）とした一様な映像を表示させた場合の表示画面を模式的に示す。なお、図１２の符号２００において、左端部の画素は、最高階調（２５５，２５５，２５５）であっても、概ね、中央部の画素が（２３０，２３０，２３０）の時の輝度レベル程度にしか達していないとする。
【００７７】
図１２の符号２００の表示画面において、端部の画素２００ｂと中央部の画素２００ａとで輝度レベルを近づけるためには、色ムラ補正の他に、画素毎または複数画素からなるブロック毎に輝度ムラ補正を行うようにするという手法があり得る。しかし、この手法によってモード切替を行うとなると、輝度ムラ補正用の補正量を画素毎あるいは、ブロック毎に示したテーブルをモード毎で記憶させなければならず、コンピュータに与える負荷が高くなってしまう（画素毎に補正量を示すテーブルは情報量が多く、このようなテーブルをモード毎に記憶するとなると、コンピュータに与える負荷が高くなるのである）。
【００７８】
これに対し、本願の発明者は、全画素に対して一律に各色成分の入力階調値を低階調側にシフトさせる（各入力階調値の取り得る範囲を制限する）階調制限処理（例えば図１２の符号４００に示す階調調整）を行った上で色ムラ補正を行う場合、前記階調制限処理の前記シフトの程度を変化させると（各入力階調値の取り得る範囲を変化させる。一例として図１２の符号４００から符号５００へ変化させる。）、色ムラ補正に伴って生じる疑似的な輝度ムラ抑制の効果が変化することを知見した。具体的には、前記階調制限処理の前記シフトの程度がゼロの場合（つまり前記階調制限処理を行わない場合（各入力階調値の取り得る範囲の制限を行わない場合））、画面全体の輝度が高く、色ムラ補正に伴って生じる疑似的な輝度ムラ抑制の効果が低いが、前記階調制限処理における前記シフトの程度が高くなる（各入力階調値の取り得る範囲が小さくなる）ほど、画面全体の輝度が低下するとともに、色ムラ補正に伴って生じる疑似的な輝度ムラ抑制の効果が高くなることを知見した。
【００７９】
そこで、本実施形態では、モード切替によって階調制限処理の程度（補正強度）を変化させる（各入力階調値の取り得る範囲を変化させる）ことにより、色ムラ補正に伴って生じる疑似的な輝度ムラ抑制の効果をモード切替によって変化させるようにしている。このようにすれば、コンピュータの負荷を高くせずに、モード切替に応じて輝度ムラ抑制の程度を変化させることができる。なお、コンピュータの負荷が高くならない理由は以下の通りである。
【００８０】
前述の階調制限処理は、全ての画素で入力階調値が同じであるとすると（図１２の符号２００）、全ての画素に対して適用される階調調整量が一律に同じになるため、全画素に共通の入力階調値変換情報（パラメータ等）を有していれば実現できる。全画素に共通の入力階調値変換情報は情報量が少なく、このような入力階調値変換情報をモード毎で有していても、コンピュータの負荷はそれほど高くならない。
【００８１】
つまり、本実施形態の構成によれば、画素毎またはグループ毎に色ムラ補正量を示した色ムラ補正テーブル（高データ量）を記憶する必要があるものの、この色ムラ補正テーブルについては、各モードで共用でき、モード毎に異なる色ムラ補正テーブルを記憶させる必要が無い。また、低データ量の入力階調値変換情報をモード毎で記憶する必要はあるが、画素毎またはグループ毎に輝度ムラ補正量を示す輝度ムラ補正テーブル（高データ量）が一切不要である。それゆえ、モード切替に応じて、画素毎の輝度ムラ補正の程度を切り替える手法を採用する場合よりも、コンピュータに与える負荷を抑制できるのである。
【００８２】
つぎに、輝度ムラ抑制優先モードおよび中間モードの各々での階調制限処理を具体的に説明する。
【００８３】
図１２の符号２００に示す表示画面のように、ＲＧＢ値がいずれも最高階調値の一様な画像を表示させた場合、最も暗い端部の画素２００ｂの輝度レベルが、概ねであるが最も明るい中央部の画素２００ａのＲＧＢ値が（２３０、２３０、２３０）の時の輝度レベルにしか達していないものとする。
【００８４】
そこで、輝度ムラ抑制優先モードでは、各色成分において、最高階調値（２５５）が入力されると、最高階調値における画素２００ｂの輝度レベルに相当する画素２００ａの階調値（２３０）に変換するようになっている。つまり、全ての画素において、各色成分の階調値が２５５から２３０に変換される。
【００８５】
より詳細には、輝度ムラ抑制優先モードの階調制限処理は下記のように行われる。まず、記憶部２６には、輝度ムラ抑制優先モードの階調制限処理において最高階調値（２５５）に対して適用される調整後入力階調値（２３０）を示すデータが色成分ごとに予め記憶されている（なお、最高階調値に適用される調整後入力階調値は測定値から算出される。この点は後に詳述する）。
【００８６】
本実施形態では、輝度ムラ抑制優先モードの階調制限処理において、最高階調値を２５５から２３０に調整するようになっているため、最高階調値に対応する調整後入力階調値（以下、単に「調整後階調値」と称する）として２３０が記憶されている。
【００８７】
ムラ補正部３６は、輝度ムラ抑制優先モードにおいて、色成分ごとに、最高階調値に対応する調整後階調値を読み出し、最低階調値（０）と、最高階調値に対する調整後階調値（２３０）とを線形補間することによって、全ての入力階調値に対する調整後階調値を求めることができる。これにより、階調制限処理が可能になる。
【００８８】
なお、最高階調値に対応する調整後階調値を予め記憶しておく手法ではなく、下記の手法を用いてもよい。最高階調値の調整後の値を調整前の値で除算して得られる係数（２３０／２５５（≒０．９０２））を記憶し、この係数に基づいて全ての入力階調値に対する調整後階調値を求めてもよい。あるいは、調整前の入力階調値（０〜２５５）に対して調整後の入力階調値（０〜２３０）を関連付けた変換テーブルを記憶部２６記憶させておいてもよい。
【００８９】
これにより、各画素に対して一律に、入力階調値を低階調側にシフトさせる階調制限処理を実現できる。ムラ補正部３６は、このようにして階調制限処理を行った後、色ムラ補正用テーブルを参照して色ムラ補正を行う。
【００９０】
つぎに、中間モードを説明する。中間モードでは、輝度ムラ抑制優先モードほど階調制限処理における階調調整幅が広くないものの、階調制限処理を行った上で色ムラ補正を行うようになっている。すなわち、中間モードにおける各入力階調値の取り得る範囲は、高輝度モードの場合よりも小さく、輝度ムラ抑制優先モードよりも広く設定される。
【００９１】
具体的には、中間モードの階調制限処理は下記のように行われる。まず、記憶部２６には、中間モードの階調制限処理において最高階調値に適用される調整後階調値を示すデータが色成分ごとに予め記憶されている。中間モードでは、最高階調値に適用される調整後階調値は、輝度ムラ抑制優先モードの最高階調値に適用される調整後階調値（２３０）より高く、階調制限処理を行わない高輝度モードでの最高階調値（２５５）よりも低い値が設定される。ここでは、中間モードの最高階調値に対する調整後階調値として全ての色成分で２４０に設定されているものとする。そして、ムラ補正部３６は、中間モードにおいて、色成分ごとに、記憶部２６から最高階調値に対する調整後階調値を読み出し、最低階調値（０）と、最高階調値に対する調整後階調値（２４０）とを線形補間することによって、図１２の符号５００に示す関数（傾きを表す係数）を求め、当該関数を用いて入力階調値を調整することで階調制限処理を行う。なお、中間モードにおいても、輝度ムラ抑制優先モードと同様、最高階調値に対する調整後階調値を記憶するのではなく、係数または変換テーブルを記憶させておいてもよい。ムラ補正部３６は、このようにして階調制限処理を行った後、色ムラ補正用テーブルを参照して色ムラ補正を行う。
【００９２】
なお、高輝度モードでは、輝度ムラ抑制優先モードおよび中間モードで行われる階調制限処理が行われることなく、色ムラ補正用テーブルを用いて色ムラ補正処理が行われる。つまり、ムラ補正部３６は、高輝度モードにおいて、図１２の符号３００の関数のように入力階調値に対して階調制限処理を行うことなく、色ムラ補正用テーブルを用いて色ムラ補正を行う。
【００９３】
つぎに、各モードの特徴を説明する。図１１に示すように、高輝度モードでは、表示部１４の表示画面の中央部の輝度を高く維持できるが、端部の輝度が中央部の輝度と比較して低下している。それゆえ、高輝度モードは、マルチディスプレイとして用いると、図１３に示すように、表示装置と表示装置との境界付近において輝度の低下が知覚され易い。すなわち、高輝度モードは、表示装置１０をマルチディスプレイとして用いる場合には均一性という意味で不十分であるが、表示装置１０単体でサイネージとして用いる場合に適するモードである。
【００９４】
これに対し、輝度ムラ抑制優先モードは、図１１および図１３に示すように、階調制限処理を行った上で色ムラ補正を行うことにより、表示部１４の輝度ムラも抑制して均一に見えるようにしている。そのため、輝度の均一性が向上するが、表示部１４の中央部の輝度が低下してしまい、これに伴って表示画面全体の輝度が低下してしまう。すなわち、輝度ムラ抑制優先モードは、表示装置１０単体でサイネージとして用いる場合には明るさ（輝度）が足りないという意味で不十分であるが、表示装置１０をマルチディスプレイとして用いる場合に適するモードである。
【００９５】
また、中間モードは、図１１および図１３に示すように、高輝度または輝度ムラ抑制の一方のみを重視して画像処理を行うのではなく、どちらも或る程度考慮して画像処理を行うモードである。つまり、中間モードによれば、表示画面の輝度をある程度維持しつつ、輝度均一性も或る程度向上した表示が可能となる。
【００９６】
つまり、以上の構成によれば、階調制限処理における調整幅が大きくなるほど、画面全体の輝度が低くなるが、色ムラ補正に伴う疑似的な輝度ムラ抑制効果を増大させることができるようになっているのである。
【００９７】
また、本実施形態では、各色成分において、輝度ムラ抑制優先モードの階調制限処理での最高階調の調整後階調値が２３０に設定され、中間モードでの前記調整後階調値が２４０に設定されているが、これら値の設定手法の一例を以下にて説明する。
【００９８】
例えば、図１２の符号２００に示すように、バックライトの発光輝度を最大として、全画素のＲＧＢ値を（２５５，２５５，２５５）とした一様な画像を表示させた場合、全画素の中で最も輝度が高い中央部の画素２００ａの輝度の測定値が１０００（ｃｄ/ｍ２）であるのに対し、全画素の中で最も輝度が低い端部の画素２００ｂの輝度の測定値が９０２（ｃｄ/ｍ２）であったとする。ここで、画素２００ａの輝度が画素２００ｂの輝度と同値になるような画素２００ａのＲＧＢの階調値を調整後階調値として求める。具体的には、ＲＧＢ値を（０，０，０）とする時の輝度を０とし、測定値と階調値との間で比例関係が成立していると仮定すると、全ての色成分で共通の調整後階調値を式４から求めることができる。
調整後階調値＝２５５×（端部の階調２５５の時の輝度−端部の階調０の時の輝度）／（中央部の階調２５５の時の輝度−中央部の階調０の時の輝度）      式４
式４を計算すると、
調整後階調値＝２５５×（９０２−０）／（１０００−０）＝２３０．０１
となる。そして、値を丸めて２３０とし、輝度ムラ抑制優先モードの最高階調値に適用される調整後階調値を各色成分共に２３０として記憶部２６に記憶させる。なお、値を丸めずに小数を有する調整後階調値を記憶部２６に記憶させてもよく、この調整後階調値で階調制限処理を行って色ムラ補正を行い、色ムラ補正後の階調値を最終的に丸めるようになっていてもよい。
【００９９】
また、中間モードの最高階調値に適用される調整後階調値としては、高輝度モードの最高階調値（２５５）よりも低く、輝度ムラ抑制優先モードの最高階調値に適用される調整後階調値（２３０）よりも高い値に設定される。例えば、高輝度モードの最高階調値と輝度ムラ抑制優先モードの最高階調値の調整後階調値との平均値を中間モードの補正値としてもよい（但し、本実施形態では、図１２の符号５００に示すように、２４０となっている）。
【０１００】
以上の調整後階調値の算出は較正処理部３５にて行われる。すなわち、較正処理時において輝度を測定可能な測定装置５０によって表示画面の輝度の測定が行われ、較正処理部３５が、この測定結果に基づいて調整後階調値を算出して記憶部２６に保存する。そして、ムラ補正部３６は、記憶部２６に記憶されている調整後階調値を用いて線形補間等によって図１２の符号４００や５００の関数や変換テーブルを求め、この関数や変換テーブルを用いて階調制限処理を行う。
【０１０１】
なお、以上のように、図１２の符号２００に示す（Ｒ、Ｇ、Ｂ）＝（２５５，２５５，２５５）の一様な映像を表示して得られた測定結果から調整後階調値を求めてもよいが、（Ｒ、Ｇ、Ｂ）＝（２５５，２５５，２５５）の映像以外の映像の測定値があれば、この測定値を考慮して階調制限処理を行ってもよい。例えば、上記の例と同様、（Ｒ、Ｇ、Ｂ）＝（２５５，２５５，２５５）の測定結果から、（Ｒ，Ｇ，Ｂ）＝（２３０、２３０、２３０）の調整後階調値が算出されたが、（Ｒ，Ｇ，Ｂ）＝（２５５，０，０）を表示して測定した場合、中央部の輝度を左端部の輝度に合わせるためのＲの最高階調値に対する調整後階調値として２３６が求まったものとする。この場合、Ｇ，Ｂについては、上記の例と同様、図１２の符号４００の関数を用いて入力階調値を調整することになるが、Ｒについては、最高階調値に対する調整後階調値である２３６と最低階調値の０とを線形補間して、図１２の符号４００とは別の関数を求めるようになっていてもよい。なお、本例においても、最高階調値に対する調整後階調値を記憶する手法を採用してもよいし、係数または変換テーブルを記憶させておく手法であってもよい。また、本例における輝度ムラ抑制優先モードの階調制限処理による調整後階調値（ＲＧＢ値）の範囲は、図１４の色空間のうち、符号７００に示される範囲に分布することになる。また、同様に（Ｒ，Ｇ，Ｂ）＝（０，２５５，０）や（Ｒ，Ｇ，Ｂ）＝（０，０，２５５）等の他の色についても同様に行うことで、より高精度な調整後階調値の算出が可能となる。
【０１０２】
あるいは、各色成分で階調値が互いに同じ試験画像だけではなく、各色成分で階調値が互いに異なる試験画像についても輝度値を測定していき、左端部の階調値が（２５５，２５５，２５５）の時の輝度値と中央部の階調値が（２３６、２３０、２２８）の時の輝度値とが同等であったとする。
この場合、（０，０，０）から（２５５、２５５、２５５）の入力階調値の範囲を、（０，０，０）から（２３６、２３０、２２８）の範囲に調整することになるが、線形補間やスプライン補間、四面体補間等の補間方法を用いて、調整前のＲＧＢ値の組み合わせに対する調整後のＲＧＢ値の組み合わせを求めればよい。つまり、入力階調値としては、あたかも図１５に示すような８つの頂点からなる色空間に変換されたと想定し、各種補間方法を用いて当該色空間内において変換後のＲＧＢ値の組み合わせを示す格子点を求めていけばよい。
【０１０３】
また、最高階調値[つまり（Ｒ，Ｇ、Ｂ）＝（２５５，２５５，２５５）]の画像に対する測定結果だけではなく、最高階調値以外の画像[例えば、（Ｒ，Ｇ、Ｂ）＝（１９２，１９２，１９２）、（１２８，１２８，１２８）、（６４，６４，６４）等]に対する測定結果を用いて階調制限処理が行われるようになってもよい。例えば、各色成分において、前記の式４を用いた手法により、表示画面の中央部の輝度を端部の輝度に近づけるために、階調値２５５に対する調整後階調値として２３０が求められ、階調値１９２に対する調整後階調値として１４２が求められ、階調値１２８に対する調整後階調値として１１６が求められ、階調値６４に対する調整後階調値として５２が求められたものとする。この場合、図１６に示すように、離散的に得られた調整後階調値から、スプライン補間等によって各入力階調値に対する調整後階調値を求めることができる。
【０１０４】
このように階調制限処理が行なわれて、変換された入力階調値をもとに色ムラ補正が行なわれる。つまり、モードが変わっても、入力階調値が階調制限処理によって変わるのみで、色ムラ補正を行なうための変換テーブルは同一のものを用い、参照する入力階調値が変わって色ムラ補正が行なわれる。
【０１０５】
（実施形態１の変形例）
色ムラ補正用テーブルに関する変形例を説明する。図５Ａまたは図５Ｂに示される補正量情報は、１画素分のものであって、２７組のＲＧＢ値の各々について補正量を示されている。つまり、１画素当たりで８１個の補正量が示されていることになる（２７×３=８１）。
【０１０６】
実施形態１では、この補正量情報を表示部１４の全画素分について示した色ムラ補正用テーブルを記憶部２６に記憶している。しかし、表示部１４が例えば１９２０画素×１０８０画素からなる高画素数の表示パネルである場合、８１個の補正量からなる補正量情報を１９２０画素×１０８０画素分記憶させる必要があり、保存すべきデータ容量が非常に大きくなる。そこで、全画素分の補正量情報を色ムラ補正用テーブルとして保有するのではなく、以下に説明するようなインデックスマップおよび色ムラ補正マップを作成することで、データ容量の削減を図ってもよい。
【０１０７】
較正処理部３５は、図５Ａまたは図５Ｂに示す１画素当たりの２７組のＲＧＢ値に対する補正量を示した補正量情報を全画素について求めると、全画素分の補正量情報をクラスタリングによって、例えば２５６個のグループにグループ分けする。つぎに、較正処理部３５は、各グループの代表となる補正量情報を抽出する（１グループあたり１つの補正量情報を抽出する）。続いて、較正処理部３５は、抽出した２５６個の補正量情報と、各補正量情報の識別番号とを対応付けた色ムラ補正マップ（図７参照）を記憶部２６に保存する。さらに、較正処理部３５は、画素毎に、夫々の画素の補正量情報と同じグループから抽出された補正量情報に対応する識別番号を示したインデックスマップ（図８参照）を作成し、このインデックスマップをも記憶部２６に記憶する。そして、ムラ補正部３６は、記憶部２６のインデックスマップを参照して、補正対象の画素に付されている識別番号を読み取り、当該識別番号の補正量情報を色ムラ補正用マップから読み出し、この補正量情報から補正量を求め、階調値の補正を行うようにする。このようにすれば、全画素分の補正量情報を色ムラ補正用テーブルとして保有するのではなく、全画素分の補正量情報から抽出された２５６画素分の補正量情報を保有するようになっているため、データ容量の削減を図ることができる。また、クラスタリングによってグループ分けを行っているため、ある画素について補正を行う場合、当該画素の補正量情報と類似している（誤差の少ない）補正量情報により補正を行うことになる。よって、補正の精度を問題のないレベルの誤差（人の目では見わけがつかないレベル）に抑制できる。
【０１０８】
つまり、インデックスマップおよび色ムラ補正マップを作成する変形例では、画素毎に色ムラ補正データを有するのではなく、複数画素からなるグループ毎に色ムラ補正データを有していることになる。
【０１０９】
また、以上の実施形態では、図５Ａまたは図５Ｂに示すように、較正処理において、２７組の試験画像を測定することにより、２７組のＲＧＢ値に対する補正量を算出し、色ムラ補正用テーブルとして保持しているが、２７組である必要はない。０、６４、１２８、１９２、２５５のような５つの階調値を組み合わせて得られる１２５組であってもよいし、３２、９６、１６０、２２４のような４つの階調値を組み合わせて得られる６４組等であってもよい。
【０１１０】
また、以上示した実施形態では、表示装置１０は中間モードを一つだけ有している形態であったが、調整の程度が互いに異なる複数の中間モードを有していても勿論よい。このようにすれば、基本的には高輝度を維持したいものの僅かだけでも輝度ムラを抑制したという場合や、逆に、基本的には輝度ムラを抑制したいのだけれども僅かだけでも輝度を上げたいというような場合に対応可能である。
【０１１１】
あるいは、中間モードの調整レベル（補正強度）を可変とすることによって、調整レベルが互いに異なる中間モードが実質複数設けられているようにしてもよい（つまり、中間モードの調整レベルを複数段階で切り替え可能になっていれば、実質的に複数の中間モードを有していることになる）。
【０１１２】
例えば、統括制御部（切替部）３１は、図１７Ａに示すレベル設定用ＵＩを表示部１４に表示させるようになっていてもよい。図１７Ａのレベル設定用ＵＩは、調整レベルを示す数値を入力するためのダイアログボックスである。このＵＩには、０〜１の数値を入力できるようになっている。統括制御部３１は、０が入力されると輝度ムラ抑制優先モードを設定し、１が入力されると高輝度モードを設定するようになっている。さらに、統括制御部３１は、０より大きくて１より小さい値（小数）が入力されると、入力値に応じた調整レベルの中間モードを設定するようになっている。
【０１１３】
調整レベルが可変である中間モードが設定されると、較正処理部３５またはムラ補正部３６は、下記のようにして中間モードにおける入力階調制限を行う。まず、前提事項として、高輝度モードでは階調制限処理が行われず、輝度ムラ抑制優先モードでは、最高階調に対する調整後階調値が２３０に設定されており、図１２の符号４００の関数のように階調制限処理が行われているものとする。
ここで、中間モードの最高階調値の調整後階調値は、高輝度モードの最高階調値（２５５）より小さく、輝度ムラ抑制優先モードの最高階調値の調整後階調値（２３０）より大きくなる。そこで、図１７Ａに示す調整レベルを示す値（明るさの程度を示す値）をＫ（０〜１）とすると、中間モードの最高階調値の調整後階調値は、
中間モードの最高階調値の調整後階調値＝｛（高輝度モードの最高階調値）−（輝度ムラ抑制優先モードの最高階調値の調整後階調値）｝×Ｋ＋輝度ムラ抑制優先モードの最高階調値の調整後階調値      式５
と表される。
式５に対し、高輝度モードの最高階調値、輝度ムラ抑制の最高階調値の調整後階調値を代入すると、
中間モードの最高階調値の調整後階調値＝（２５５−２３０）×Ｋ＋２３０
となる。つまり、図１７Ａに示す調整レベルを示す値（Ｋ）を変化させるだけで、中間モードを色々なレベルに調整可能となる。
【０１１４】
あるいは、下記のようにして調整レベルＫの中間モードを実現してもよい。高輝度モードの最高階調値（２５５）に対応する色ムラ補正後の階調値Ｐと、輝度ムラ抑制優先モードの最高階調値に適用される調整後階調値（２３０）に対応する色ムラ補正後の階調値Ｑとを色ムラ補正テーブルから求める。そして、下記の式５Ａによって、中間モードにおける色ムラ補正後の階調値を直接求めてもよい。
【０１１５】
中間モードにおける色ムラ補正後の補正値＝Ｑ＋（Ｐ−Ｑ）×Ｋ        式５Ａ
尚、図１７Ａに示すＵＩでは小数を含む０〜１の値を入力するようになっているが、パーセント値を使用するようになっていてもよく、この場合、０（最小）〜１００（最大）が入力される。あるいは、図１７Ｂのように、輝度ムラ抑制優先モードにする場合の調整レベルを１００（最大値）とし、高輝度モードにする場合の調整レベルを０（最小値）としてもよく、しかも、その調整レベルを視覚的に分かり易くするためにスライダで位置を調整することにより、中間モードおよび調整レベルを設定できるようにしてもよい。この時、スライダで設定できる箇所が、「０、２５、５０、７５、１００」等のように予め、決められていても良い。
【０１１６】
以上の実施形態１では、高輝度モード、中間モード、輝度ムラ抑制優先モードの３つのモードを有していたが、少なくとも２つのモードを有していればよい。つまり、本発明の一態様は、色ムラ補正を行う第１および第２モードを有しており、前記第２モードでは、各画素に対して一律に前記映像データの階調値を低階調側にシフトさせる階調制限処理を行うことによって前記第１モードよりも前記階調値を低階調側に抑制するようになっていればよい。
【０１１７】
ここで、実施形態１では、高輝度モードが第１モードに対応し、輝度ムラ抑制優先モードが第２モードに対応することになる。また、実施形態１では、高輝度モード（第１モード）において前記階調制限処理を行うことなく前記色ムラ補正を行うようになっている。
【０１１８】
また、実施形態１では、輝度ムラ抑制優先モード（第２モード）よりも前記シフトの程度を抑えて前記階調制限処理を行った上で前記色ムラ補正を施す中間モード（第３モード）にも切り替え可能になっている。
【０１１９】
なお、第１および第２モードは、必ずしも、階調制限処理を行わない高輝度モードと、階調制限処理を行う輝度ムラ抑制優先モードとのペアである必要はない。例えば、中間モードと輝度ムラ抑制優先モードとのペアが第１および第２モードであってもよい。この場合、中間モード（第１モード）と輝度ムラ抑制優先モード（第２モード）とのいずれもが階調制限処理を行うことになるが、中間モード（第１モード）は、輝度ムラ抑制優先モード（第２モード）よりも階調値のシフトの程度を抑えて前記階調制限処理を行うことになり、輝度ムラ抑制優先モード（第２モード）は、中間モード（第１モード）よりも階調値を低階調側に抑制することになる。
【０１２０】
また、中間モードＡ（第１モード）と輝度ムラ抑制優先モード（第２モード）との他、中間モードＢ（第３モード）にも切り替えられ、中間モードＢ（第３モード）は、輝度ムラ抑制優先モード（第２モード）よりも前記シフトの程度を抑えつつ中間モードＡ（第１モード）よりも前記シフトの程度を強めて前記階調制限処理を行った上で、前記色ムラ補正を施すようになっていてもよい。
【０１２１】
また、勿論であるが、前記の第１および第２モードは、高輝度モードと中間モードとのペアであってもよい。また、表示装置１０は、高輝度モードおよび輝度ムラ抑制優先モードを備えずに、調整レベルが可変である中間モードのみが備えられていてもよい。この場合、第１の調整レベルの中間モードを第１モードとすると、第１の調整レベルよりも階調制限処理における前記シフトの程度が強くなる第２の調整レベルの中間モードが第２モードとなる。
【０１２２】
（その他）
輝度が比較的均一と判断される場合は、色ムラ補正として、例えば、「＋１、−１、０」の補正量を用いて相対的に補正を行うことにより、色ムラの補正を行うことができる。しかし、輝度が比較的不均一な場合、上記の方法では、色ムラを補正できない場合がある。そこで、このような場合には、輝度ムラと色ムラの両方を考慮し、例えば、「＋１０、＋８、＋９」の補正量を用いて、絶対的な補正を行うようにしても良い（絶対的な補正を行う場合は、相対的な補正を行う場合とは別に補正テーブルを作成する。上記何れかの補正テーブルを用いて色ムラ補正を行う）。
【０１２３】
[実施形態２]
実施形態２は、実施形態１の表示装置１０を配列してなるマルチディスプレイにおける表示装置１０の最適配置を判定する配置判定装置６００に関するものである。なお、本実施形態では、表示装置１０は、図１２を用いて説明した高輝度モード、輝度ムラ抑制優先モード、中間モードの３つのモードを有しており、各モードの調整レベルが一定であることを前提とする。つまり、実施形態１の変形例では中間モードの調整レベルは可変でもよい点を述べたが、本実施形態の表示装置１０では、中間モードにおいて、調整レベルは可変ではなく予め記憶部２６に記憶されている最高階調値に対する調整後階調値を用いて線形補間等によって図１２の関数を求め、この関数によって階調制限処理が行われるものとする。
【０１２４】
図１８は、本実施形態に係る配置判定装置６００および設置サーバ６０１を用いた配置判定システムの概略構成図である。同図に示されるように、配置判定システムは、生産工程にて使用される測定装置５０およびシステム制御装置４０と、設置工程にて使用される配置判定装置６００と、システム制御装置４０および配置判定装置６００との間でデータの送受信を行う設置サーバ６０１とを含む。システム制御装置４０、配置判定装置６００、設置サーバ６０１は、各々、汎用のパーソナルコンピュータである。
【０１２５】
（生産工程について）
図１８の生産工程では、実施形態１にて説明した図１の表示装置１０、測定装置５０、システム制御装置４０が用いられる。つまり、図１８の生産工程では、表示装置１０に対して試験画像を表示させて測定が行われ、較正処理部３５が、測定結果に基づく較正処理を行って色ムラ補正用テーブルを作成して記憶部２６に保存する。また、このときに、較正処理部３５が、輝度ムラ抑制優先モード、中間モードの各々で用いられるパラメータ（最高階調に対する補正値）を算出して記憶部２６に保存する。さらに、本実施形態では、輝度ムラ抑制優先モード、中間モード、高輝度モードの各々で試験画像を表示させて測定を行い、モード毎に得られた測定結果を配置判定用データ（測定データセット）として設置サーバ６０１に保存する処理を行う。以上の生産工程での処理の流れを示したのが図１９のフローチャートである。以下、図１９を用いて生産工程での処理を詳細に説明する。
【０１２６】
まず、処理対象となる表示装置１０は、ムラ補正部３６による処理が一切行われないスルーモード（モード０）に初期設定されているものとする。システム制御装置４０は、ユーザ操作により、処理対象となる表示装置１０の識別番号を入力する（Ｓ１１）。
【０１２７】
そして、Ｓ１２〜Ｓ１４では、実施形態１で述べた測定および較正処理と同様の処理が行われる。すなわち、Ｓ１２において、システム制御装置４０は、試験画像を表示装置１０に表示させ、測定装置５０に表示画像の色を測定させる（Ｓ１２）。この測定では、互いに色を異ならせるＮ枚（例えばＮ＝２７）の試験画像の各々を順に表示させながら、各試験画像を撮影して測定結果を得る。
【０１２８】
続いて、システム制御装置４０は、Ｎ枚（Ｎ色）の試験画像を表示して得られるＮ通りの測定結果（ＸＹＺ値）を、測定データセット０として一纏めにする（Ｓ１３）。なお、本実施形態では、Ｎ枚（Ｎ色）の試験画像には、（Ｒ，Ｇ，Ｂ）＝（２５５，２５５，２５５）の試験画像が含まれており、前記の測定結果には、ＸＹＺ値の他に輝度値も含まれているものとする。測定データセット０は、Ｓ１１にて入力された識別番号と対応付けられてシステム制御装置４０において一旦保存される。
【０１２９】
続いて、システム制御装置４０は、測定データセット０と共に較正処理の指示を表示装置１０へ送信する。これにより、表示装置１０の較正処理部３５は、測定データセット０と図２の基準データとを用いて較正処理を行い、画素毎の色ムラ補正用の補正量を算出する（Ｓ１４）。較正処理の内容は実施形態１で説明したとおりである。
【０１３０】
較正処理部３５は、測定データセット０から算出された２７色分の補正量のセットを色ムラ補正用テーブルとして記憶部２６に保存する。
【０１３１】
また、Ｓ１４において、較正処理部３５は、較正処理の他に、輝度ムラ抑制優先モード、中間モードの各々で用いられるパラメータ（最高階調値に対する補正値）を算出する処理を行い、このパラメータを記憶部２６に記憶する。パラメータの算出処理は、実施形態１で説明したとおりである。つまり、（Ｒ，Ｇ，Ｂ）＝（２５５，２５５，２５５）の試験画像の測定値（輝度値）と、実施形態１の式４とを用いて算出できる。なお、勿論であるが、図１２に示す調整前後の階調値の関係を１次元ルックアップテーブルとして記憶部２６に保持させるようになっていてもよい。
【０１３２】
Ｓ１４を終えると、システム制御装置４０は、表示装置１０に設定されているモードの変更を行う（Ｓ１５）。具体的には、システム制御装置４０は、表示装置１０のモードを、スルーモード（モード０）から、高輝度モード（モード１）に切り替える。
【０１３３】
高輝度モードに切り替わった表示装置１０においては、ムラ補正部３６が動作するようになり、映像データ（試験画像のデータを含む）が入力されると、ムラ補正部３６が当該映像データに対し、高輝度モードで色ムラ補正を行うことになる（つまり、表示装置１０は較正された状態になる）。
【０１３４】
Ｓ１５によってモードの切り替えが行われると、システム制御装置４０は、試験画像を表示装置１０に表示させ、測定装置５０に試験画像の色を測定させる（Ｓ１６）。つまり、Ｓ１２では、較正されていない表示装置（ムラ補正された画像を表示する表示装置）を測定しているのに対し、Ｓ１６では、較正された後の表示装置（ムラ補正された画像を表示する表示装置）を測定しているのである。つまり、高輝度モードに設定されている場合、ムラ補正部３６によって高輝度モードで色ムラ補正が行われた試験画像が表示部１４に表示されることになる。
【０１３５】
なお、Ｓ１６では、互いに色を異ならせるＭ枚（Ｍ＜Ｎ：例えばＭ＝１０）の試験画像の各々を順に表示させながら、各試験画像を撮影して測定結果を得るようになっている。
【０１３６】
Ｓ１６の後、システム制御装置４０は、高輝度モード（モード１）での測定結果を測定データセット１として一纏めにする（Ｓ１７）。つまり、Ｓ１７においてＭ枚（Ｍ色）の試験画像を表示して得られるＭ通りの測定結果（ＸＹＺ値）が測定データセット１として一纏めにされる。測定データセット１は、Ｓ１１にて入力された識別番号と対応付けられてシステム制御装置４０において一旦保存される。
【０１３７】
Ｓ１７の後、システム制御装置４０は、全てのモード（高輝度モード、中間モード、輝度ムラ抑制優先モード）について測定データセットの作成が終了しているか否かを判定する（Ｓ１８）。
【０１３８】
終了していない場合（Ｓ１８にてＮＯ）、システム制御装置４０は、Ｓ１５に戻り、測定データセットが作成されていないモードに表示装置１０のモードを切り替え、Ｓ１６以降の処理を再度行う。なお、高輝度モードから中間モード（モード２）に切り替えられ、中間モードから輝度ムラ抑制優先モード（モード３）に切り替えられるようになっておる。
【０１３９】
中間モードまたは輝度ムラ抑制優先モードでは、Ｓ１６において、ムラ補正部３６によって夫々のモードで色ムラ補正が行われた試験画像が表示部１４に表示されることになる。つまり、階調制限処理が行われた上で色ムラ補正が行われることになる。また、中間モードの場合にＳ１７で作成されるのは測定データセット２であり、輝度ムラ抑制優先モードの場合にＳ１７で作成されるには測定データセット３となる。
【０１４０】
全てのモードについて測定データセットの作成が終了した後（Ｓ１８にてＹＥＳ）、システム制御装置４０は、識別番号と測定データセット０〜３とを対応付けて設置サーバ６０１へ送信し（Ｓ１９）、処理を完了する。
【０１４１】
図２０は、各モードと測定データセットとの関係を示した表である。測定データセット０は、ムラ補正部３６を動作させないスルーモード（モード０）で表示させた試験画像の色を測定した際の測定結果を示すデータである。測定データセット１は、階調制限処理を行わずに色ムラ補正を行う高輝度モード（モード１）で表示させた試験画像の色を測定した際の測定結果を示すデータである。測定データセット３は、階調制限処理を行った上で色ムラ補正を行う輝度ムラ抑制優先モード（モード３）で表示させた試験画像の色を測定した際の測定結果を示すデータである。測定データセット２は、階調制限処理を行った上で色ムラ補正を行うが階調制限処理での調整幅を輝度ムラ抑制優先モードよりも抑えた中間モード（モード２）で表示させた試験画像の色を測定した際の測定結果を示すデータである。
【０１４２】
つぎに、設置サーバ６０１に格納されている情報を説明する。図２１は、設置サーバ６０１の記憶部に格納されており、測定データセットを蓄積してなるデータベースを示した図である。図２１に示されるデータベースにおいては、表示装置１０の識別番号と、スルーモードの測定データセット０と、高輝度モードの測定データセット１と、中間モードの測定データセット２と、輝度ムラ抑制優先モードの測定データセット３とが対応付けられて記憶されている。
【０１４３】
つまり、生産工程では、量産される各表示装置１０に対して順に図１９の処理を行い、表示装置毎に、識別番号と測定データセット０〜４とを対応付けた情報が設置サーバ６０１に蓄積されていくようになっている。
【０１４４】
（設置工程について）
ムラ補正の程度の異なる複数のモードを有する表示装置１０を配列させてマルチディスプレイを構成する場合、ある配置パターンが、あるモードでは最適であっても、別の配置パターンでは最適ではないことがある。これは、各モードにおけるムラ抑制具合が各表示装置１０で微妙に異なるためである。それゆえ、表示装置１０からなるマルチディスプレイを設置する場合、設置時に設定されるモードに対して最適配置を判定する必要がある。
【０１４５】
そこで、本実施形態では、図１８に示す設置工程において、表示装置１０を配列させたマルチディスプレイ１０００を設置する場合に設定されるモードに応じた最適配置を、配置判定装置６００（例えばノートＰＣ）が判定するようになっている。つまり、配置判定装置６００には、最適配置を判定するソフトウェアがインストールされている。なお、本実施形態では、図１８に示すように、表示装置１０を縦方向に２台、横方向に２台の計４台並べ、２×２で配置してマルチディスプレイ１０００を構成する例について説明する。但し、マルチディスプレイ１０００を構成する表示装置１０の横方向、縦方向の数はこれに限定されない。
【０１４６】
図２２は、設置工程における処理の流れを示したフローチャートである。まず、配置判定装置６００は、オペレータの操作により、設置対象となる表示装置１０の識別番号を入力する（Ｓ２１）。続いて、配置判定装置６００は、設置サーバ６０１にアクセスし、Ｓ２１にて入力された識別番号に対応付けられている測定データセット０〜４を設置サーバ６０１から受信する（Ｓ２２）。例えば、マルチディスプレイ１０００を構成する表示装置１０が４台であれば、Ｓ２１において４台の表示装置１０の各々の識別番号が入力され、Ｓ２２において４台の表示装置１０の各々の測定データセットが配置判定装置６００にダウンロードされる。
【０１４７】
続いて、配置判定装置６００は、ユーザ操作によって、マルチディスプレイ１０００を設置する時に各表示装置１０に設定する予定のモードの番号を入力する（Ｓ２３）。具体的には、前述したスルーモード、高輝度モード、中間モード、輝度ムラ抑制優先モードのうちのいずれかを示す番号が入力される。なお、本実施形態の表示装置１０は、スルーモードを設定することも可能になっており、この場合、表示装置１０は、ムラ補正部３６による処理を行わずに映像を表示部１４に表示させることになる。すなわち、極めて稀なケースではあるが、設置時に各表示装置１０にスルーモードを設定する場合、Ｓ２３ではスルーモードの番号が入力されることになる。
【０１４８】
Ｓ２３の後、配置判定装置６００は、Ｓ２２にて受信した測定データセットのうち、Ｓ２３にて入力されたモード番号のモードに対応する測定データセットを用いて、表示装置１０の最適配置を判定する最適配置判定処理を行う（Ｓ２４）。なお、Ｓ２４の最適配置判定処理の詳細については後述する。
【０１４９】
Ｓ２４の後、配置判定装置６００は、配置判定装置６００のモニタに、表示装置１０の識別番号と配置位置（座標値）とを示した推奨配置例を表示する（Ｓ２５）。例えば、図２５の符号８５０に示されるように、各表示装置１０の識別番号（ＸＸ０００１、ＸＸ０００３、ＸＸ００１６、ＸＸ００２０）と、各表示装置１０の配置を示す座標値（（１，１）（１，２）（２，１）（２,２））と、各表示装置のレイアウトとがモニタに表示される。或いは、図２５の符号８５１に示されるように、単に各表示装置１０の識別番号と各表示装置１０の配置を示す座標値との対応関係が表示されるようになっていてもよい。
【０１５０】
つぎに、配置判定装置６００の構成を図２５に基づいて説明する。配置判定装置６００は、プロセッサおよび記憶装置からなる汎用コンピュータである。配置判定装置６００は、図２５に示すように、測定データ取得部６００ａ、モード選択部６００ｂ、判定部６００ｃ、および結果出力部６００ｄを備える。なお、配置判定装置６００に含まれる各部６００ａ〜６００ｄは、ソフトウェアにて実現される機能を示す機能ブロックである。
【０１５１】
測定データ取得部６００ａは、ユーザによって各表示装置１０の識別番号が入力されると、この識別番号に対応付けられている測定データセットを設置サーバ６０１からダウンロードするブロックである。モード選択部６００ｂは、ユーザによって入力されるモード番号のモードを選択する。判定部６００ｃは、モード選択部６００ｂに選択されたモードに対応する測定データセットを用いて最適配置判定処理を行う。結果出力部６００ｄは、最適配置判定処理の判定結果を配置判定装置６００のモニタに表示させる。
【０１５２】
（最適配置判定処理）
つぎに、図２２のＳ２４の最適配置判定処理を詳細に説明する。最適配置判定処理は、周知の手法によって実現でき、本実施形態では特許文献２（特開２０１４−２６１２０号公報）に記載されている手法を用いる。具体的には下記のようにして行う。
【０１５３】
まず、判定部６００ｃは、図２３に示すように、各表示装置１０において９ヵ所の参照領域を設定する。具体的には、表示画面を９分割し、各分割区域に含まれる２００×２００画素からなる領域を参照領域とする。なお、参照領域のサイズは、２００×２００画素に限定されるわけではなく、適宜変更可能である。
【０１５４】
つぎに、判定部６００ｃは、ダウンロードされた測定データセット０〜３のうち、図２２のＳ２３にて入力されたモード番号のモードに対応する測定データセットを検出する。例えば、Ｓ２３にてモード番号３（輝度ムラ抑制優先モード）が入力されると、測定データセット３が検出されることになる。
【０１５５】
続いて、判定部６００ｃは、検出した測定データセットに示されるＭ色（またはＮ色）のうち、いずれか１色を選択する。選択される色は、予め設定されていてもよいし、配置判定装置６００のオペレータの入力指示によって決定されてもよい。ここでは、（Ｒ,Ｇ,Ｂ）＝（２５５，２５５，２５５）が選択されるものとする。
【０１５６】
判定部６００ｃは、選択した色である（Ｒ,Ｇ,Ｂ）＝（２５５，２５５，２５５）について、各表示装置１０の参照領域毎に測定値の代表値（各画素の測定値の平均値等）を算出する。なお、測定値はＸＹＺ値であるが、算出される代表値はＬ＊ａ＊ｂ＊値（ＣＩＥ１９７６のＬ＊ａ＊ｂ＊データ）に変換される。
【０１５７】
つぎに、判定部６００ｃは、設定可能な全ての配置パターンのうちの一つの配置パターンについて、互いに隣接する２つの表示装置の境界を挟んで対向する参照領域同士の色差ΔＥを求める。色差ΔＥは、選択された色である（Ｒ,Ｇ,Ｂ）＝（２５５，２５５，２５５）に対応する測定値から算出された前記代表値を用いて求める。
【０１５８】
具体的には、図２６に示す配置パターンを例にして考えると、ΔＥ１〜ΔＥ１２の１２個の色差を求めることになる。ここで、ΔＥ１は、表示装置１０ａの参照領域Ｃと表示装置１０ｂの参照領域Ａと色差であり、ΔＥ２は、表示装置１０ａの参照領域Ｆと表示装置１０ｂの参照領域Ｄと色差であり、ΔＥ３は、表示装置１０ａの参照領域Ｉと表示装置１０ｂの参照領域Ｇと色差である。ΔＥ７〜ΔＥ９は、ΔＥ１〜ΔＥ３と同様、表示装置１０ｃの各参照領域と表示装置１０ｄの各参照領域との色差である。
また、ΔＥ４は、表示装置１０ａの参照領域Ｇと表示装置１０ｃの参照領域Ａと色差であり、ΔＥ５は、表示装置１０ａの参照領域Ｈと表示装置１０ｃの参照領域Ｂとの色差であり、ΔＥ６は、表示装置１０ａの参照領域Ｉと表示装置１０ｃの参照領域Ｃと色差である。ΔＥ１０〜ΔＥ１２も、ΔＥ４〜ΔＥ６と同様、表示装置１０ｂの各参照領域と表示装置１０ｄの各参照領域との色差である。
【０１５９】
判定部６００ｃは、一つの配置パターンについて、以上のようにして求めたΔＥ１〜ΔＥ１２のうちの最大値を最大色差ΔＥとして特定する。このような最大色差ΔＥを設定可能な全ての配置パターンの各々について求める。そして、判定部６００ｃは、最大色差ΔＥの値が最も小さい配置パターンを最適配置として判定するようになっている。
【０１６０】
以上にて示したように、本実施形態によれば、設置時に設定されるモードにて表示される試験画像を測定して得られた測定値に基づいて最適配置を判定していることになる。それゆえ、ムラ補正の程度が互いに異なる複数のモードを有する表示装置を用いたマルチディスプレイについて、設置時に設定されるモードに対する最適配置を判定できるという利点がある。
【０１６１】
また、以上の実施形態では、設置工程において配置判定装置６００を用いて最適配置の判定を行っているが、勿論、設置後にモードを切り替える必要が生じた場合であっても最適配置の判定が可能である。すなわち、複数の表示装置１０から構成されるマルチディスプレイを設置してモードを設定して使用を開始したものとする。その後にモードを切り替える必要が生じた場合、配置判定装置６００に、設置サーバ６０１から測定データセットをダウンロードさせ、最適配置判定処理を行わせてもよい。つまり、本実施形態の配置判定装置６００によれば、モード変更の度に、変更されたモードにとって最適な配置を特定できるのである。
【０１６２】
また、以上の実施形態によれば、各モードを設定した上で表示される試験画像を測定し、この測定にて得られた測定値に基づいて最適配置を判定している。つまり、ムラ補正部３６による補正が行われた試験画像の測定値を使って最適配置の判定を行っている。よって、ムラ補正を行わずに測定した測定結果に基づいて配置判定するようなシステムに比べ、演算の複雑化を抑制でき、判定精度を向上させることができる。
【０１６３】
また、以上の実施形態によれば、一旦設置工程にて測定データセットを設置サーバ６０１に保存すれば、後に何度でも測定データセットを利用することが可能になる。そのため、マルチディスプレイ１０００を一旦設置した後、設定されるモードを切り替えるため、配置判定装置６００による判定を再度行う必要が生じた場合であっても、設置サーバ６０１から測定データセットを再度ダウンロードすればよいため、設置されている現場にて新たに測定する手間を省くことができる。
【０１６４】
また、マルチディスプレイの設置後、一部の表示装置１０の不具合により表示装置１０を交換する必要が生じても、その都度、最適な配置の判定が可能になる。
【０１６５】
また、以上の実施形態では図２３のように参照領域を設定しているが、図２３のような形態に限定されるものではない。例えば、図２４に示されるように、ベゼルの近傍において、当該ベゼルと平行な方向を長辺方向とした長方形の参照領域を並べるような形態であってもよい。
【０１６６】
また、以上の実施形態では、図１９のＳ１６においてＭ枚（Ｍ色）の試験画像を表示して測定しているが、Ｍは１であってもよい。例えば、白（（Ｒ、Ｇ、Ｂ）＝（２５５、２５５、２５５））についてのみ測定をするようになっていてもよいし、高輝度のグレー（（Ｒ、Ｇ、Ｂ）＝（２４０、２４０、２４０））についてのみ試験を行うようになっていてもよい。なお、この場合、勿論ではあるが、図２２のＳ２４において、Ｍ色のうちの１色が選択されるという処理は省略され、図１９のＳ１６で測定された１色の測定データセットが用いられることになる。
【０１６７】
また、モード毎でＭの値を異ならせてもよい。例えば、高輝度モード（モード１）では５色について測定し、中間モード（モード２）では２色について測定し、輝度ムラ抑制優先モードでは３色について測定するというようになっていてもよい。
【０１６８】
また、配置判定装置６００は、図２７に示すようなＵＩをモニタに表示させ、このＵＩにより情報の入力および判定結果の出力が行われるようになっていてもよい。オペレータは、図２７のＵＩを介して、各表示装置１０の識別番号と、モード番号とを入力する。また、オペレータは、プルダウンメニューでモニタの配置数を入力し、設置方向をボタンで選択する。そして、オペレータは、全ての情報の入力を終えると、実行ボタンを押す。実行ボタンが押されると、判定部６００ｃが判定を行い、結果出力部６００ｄが判定結果をＵＩに反映させる。図２７のＵＩでは、識別番号（[００１]…[００４]）の付された表示装置の配置を示すレイアウト（符号４５０ａ）が表示され、且つ、各表示装置の識別番号と位置番号との対応関係（符号４５０ｂ）が表示される。
【０１６９】
[実施形態３]
実施形態３は、実施形態２の変形例に相当する形態である。実施形態２では、各表示装置１０の測定データセット０〜４を設置サーバ６０１の記憶部に記憶させるようになっているが、各表示装置１０の測定データセット０〜４を、設置サーバ６０１の記憶部に記憶させるのではなく、各々の表示装置１０の記憶部２６に記憶させるようになっていてもよい。実施形態３は、各表示装置１０の測定データセット０〜４を、各々の表示装置１０の記憶部２６に記憶させる形態である。以下、本実施形態を説明する。
【０１７０】
本実施形態では、図１９のＳ１９において、測定データセット０〜３は、システム制御装置４０から設置サーバ６０１に送られるのではなく、表示装置１０へ送信され、表示装置１０の記憶部２６に格納される。なお、測定データセット０については、Ｓ１３とＳ１４との間で表示装置１０へ送信されているため、Ｓ１９にて送信を省略できる。
【０１７１】
設置工程は以下のようにして行われる。まず、マルチディスプレイ１０００に用いる各表示装置１０と配置判定装置６００とをＬＡＮケーブル等によって通信可能に接続する。これにより、配置判定装置６００は、各表示装置１０から、各表示装置１０の識別番号と各表示装置１０の測定データセット０〜４との組み合わせを読み出すことが可能になる。
【０１７２】
または、ＵＳＢメモリなどの外部記憶装置を使って、表示装置１０の識別番号と表示装置１０の測定データセット０〜４との組み合わせを夫々の表示装置１０から配置判定装置６００に伝達させる形態であってもよい。この場合、各表示装置１０には、ＵＳＢメモリが挿入されたことを検知すると記憶部２６に格納されている測定データセット０〜４と識別番号とをＵＳＢメモリに書き込む処理部（ソフトウェア）が設けられている。
【０１７３】
以上のようにして各表示装置１０の識別番号と測定データセット０〜４との組み合わせが配置判定装置６００に取り込まれると、配置判定装置６００は、図２２のＳ２３〜２５を実行して、最適配置を判定し、判定結果を出力する。このように、マルチディスプレイを構成する際に、使用する個々の表示装置１０の記憶部２６に格納されている測定値データセットを使って、最適配置判定処理を行うようにしてもよい。
【０１７４】
本実施形態によれば、実施形態２の利点の他に以下に説明する利点を有する。設置現場にて配置判定装置６００を用いて判定を行う場合、外部ネットワークへのアクセス環境が不要となるため、通信環境が整っていない環境下にあっても判定を行うことができる。
【０１７５】
[実施形態４]
実施形態２、３のように最適配置を判定したとしても、当該最適配置は、表示装置間のムラ（輝度や色のギャップ）が最も抑制される可能性の高い配置というだけであり、この最適配置通りに配置してもムラが完全に無くなるわけではない。
【０１７６】
そこで、本実施形態では、配置判定装置６００に調整値算出部（不図示）を設ける。そして、調整値算出部が、図２２のＳ２４とＳ２５との間において、最適配置にて配置した場合に各表示装置１０のベゼル付近でのギャップをより目立たなくさせるための調整値を表示装置毎に算出し、設定するようになっている。
【０１７７】
この調整値とは、基準階調（基準となるＲＧＢ値の組）に対して適用される調整量である。基準階調は、メーカ側にて予め設定されており、本実施形態では（２５５、２５５、２５５）とする。調整値算出部は、図２２のＳ２４の後、基準階調に対して適用される調整値（例えば、（−３，−４，−５））を表示装置１０毎に求めるようになっている。
【０１７８】
以下、調整値の算出方法を説明する。まず、調整値算出部は、図２９に示すように、各表示装置１０を最適配置した場合のマルチディスプレイ１０００においてＰ１〜Ｐ８の８つのポイントを設定する。
【０１７９】
なお、ポイントＰ１〜Ｐ８は、Ｓ２４にて用いた参照領域を利用する。具体的には、図２６と図２９に示す表示装置１０ａ〜１０ｄが最適配置であると仮定した場合、表示装置１０ａの参照領域ＦをポイントＰ１とし、表示装置１０ａの参照領域ＨをポイントＰ３とし、表示装置１０ｂの参照領域ＤをポイントＰ２とし、表示装置１０ｂの参照領域ＨをポイントＰ４とし、表示装置１０ｃの参照領域ＢをポイントＰ５とし、表示装置１０ｃの参照領域ＦをポイントＰ７とし、表示装置１０ｄの参照領域ＢをポイントＰ６とし、表示装置１０ｄの参照領域ＤをポイントＰ８とする。つまり、調整値算出部は、互いに隣接し合う表示装置同士の４つの境界の各々について、境界を挟んで対向するポイントのペアを設定するようになっているのである。
【０１８０】
つぎに、調整値算出部は、Ｓ２３にて入力されたモード番号のモードに対応する測定データセットを用いて、ポイントＰ１〜Ｐ８の各々について測定値の代表値をＬ＊ａ＊ｂ＊値として求める。なお、Ｓ２４において判定部６００ｃによってＭ色から選択された色と基準階調とが同じであれば、各ポイントに対応する各参照領域の代表値がＳ２４にて既に求められているため、この代表値を流用してもよい。
【０１８１】
調整値算出部は、Ｌ＊値の目標値、ａ＊値の目標値、ｂ＊値の目標値を算出する。Ｌ＊値の目標値は、ポイントＰ１〜Ｐ８のＬ＊値の平均値であり、ａ＊値の目標値は、ポイントＰ１〜Ｐ８のａ＊値の平均値であり、ｂ＊値の目標値は、ポイントＰ１〜Ｐ８のｂ＊値の平均値である。つまり、４台の表示装置１０からなるマルチディスプレイ１０００においては、８つの対象ポイントの夫々のＬ＊値、ａ＊値、ｂ＊値から、Ｌ＊値の目標値、ａ＊値の目標値、ｂ＊値の目標値が一つずつ求められる。
【０１８２】
続いて、調整値算出部は、ポイントＰ１〜Ｐ８の各々について、ΔＬ、Δa、Δｂを求める。ΔＬは、Ｌ＊値の目標値と対象ポイントのＬ＊値との差分、Δａは、ａ＊値の目標値と対象ポイントのａ＊値との差分、Δｂは、ｂ＊値の目標値と対象ポイントのｂ＊値との差分を指す。また、調整値算出部は、ポイントＰ１〜Ｐ８の各々について、ΔＥを求める。ΔＥは、例えば下記の式６によって求めることができる。
ΔＥ=｛（ΔＬ）２+（Δa）２+（Δｂ）２｝１／２      式６
つぎに、調整値算出部は、表示装置１０ａ〜１０ｄごとに対象ポイントを一つずつ設定する。具体的には、図２９のように、表示装置１０ａ〜１０ｄの各々に、ポイントのペアが設定されているが、表示装置１０ａ〜１０ｄごとに、ポイントのペアのうち、ΔＥの大きな方のポイント（ΔＥが最大となる方のポイント）が対象ポイントとして設定される。
【０１８３】
例えば、図２９に示すように、表示装置１０ａにはポイントＰ１とポイントＰ３とのペアが設定されているが、ポイントＰ１のΔＥの方がポイントＰ３のΔＥよりも大きい場合、調整値算出部は、ポイントＰ１を、表示装置１０ａの対象ポイントとして設定する。調整値算出部は、表示装置１０ｂ〜１０ｄの各々についても、表示装置１０ａと同様に対象ポイントを設定する。
【０１８４】
なお、以上の例では、各表示装置には、２つのポイントが設定されているが、各表示装置には、ポイントが３つ以上設定されていてもよい。この場合、隣接する表示装置の境界を挟んでポイント同士が対向し合うように、一つの表示装置当たりで３以上のポイントが設定される。そして、以上の例と同様に、ポイント毎にΔＥを求める（ポイント毎にＬ＊ａ＊ｂ＊値（代表値）を求め、Ｌ＊ａ＊ｂ＊値の夫々について全ポイントの平均値を目標値とし、各ポイント毎に、当該目標値を用いてΔＥを求める）。そして、各表示装置において、３つ以上のポイントのうち、ΔＥが最大となるポイントが対象ポイントとして抽出される。
【０１８５】
続いて、調整値算出部は、表示装置１０ａ〜１０ｄごとに、調整値（ΔＲ、ΔＧ、ΔＢ）を初期設定する。具体的には、調整値算出部は、表示装置１０ａ〜１０ｄごとに、夫々の装置の対象ポイントのΔａ、Δｂを用いて、下記のようにして調整値を初期設定する。
【０１８６】
Δａ＞０の場合、Ｒを下げる（赤色を抑制）方向となるようにΔＲ＝調整係数Ａ×（−１）となる負の値を初期設定する。
Δａ＜０の場合、Ｇを下げる（緑色を抑制）方向となるようにΔＧ＝調整係数Ｂ×（−１）となる負の値を初期設定する。
Δｂ＞０の場合、ＲとＧを下げる（黄色を抑制）方向に、ΔＲ＝調整係数Ｃ×（−１）となる負の値、ΔＧ＝調整係数Ｃ×（−１）となる負の値を初期設定する。
Δｂ＜０の場合、Ｂを下げる（青色を抑制）方向に、ΔＢ＝調整係数Ｄ×（−１）となる負の値を初期設定する。
なお、調整係数Ａ，Ｂ，Ｃ、Ｄは正の数であり、例えば、Ａ＝１、Ｂ＝１、Ｃ＝２、Ｄ＝１のように設定する。ただし、これらは、表示装置の特性に依存した値となり、任意に設定して良い。
具体的には、Δａ＞０且つｂ＞０の場合、ΔＲ＝調整係数Ａ×（−１）＋調整係数Ｃ×（−１）＝（−１）×（調整係数Ａ＋調整係数Ｃ）となり、ΔＧ＝調整係数Ｃ×（−１）、ΔＢ＝０となる。また、Δａ＜０且つΔｂ＞０の場合、ΔＲ＝調整係数Ｃ×（−１）、ΔＧ＝（調整係数Ｂ＋調整係数Ｃ）×（−１）、ΔＢ＝０となる。さらに、Δａ＞０且つΔｂ＜０の場合、ΔＲ＝調整係数Ａ×（−１）、ΔＧ＝０、ΔＢ＝調整係数Ｄ×（−１）となる。また、Δａ＜０且つΔｂ＜０の場合、ΔＲ＝０、ΔＧ＝調整係数Ｂ×（−１）、ΔＢ＝調整係数Ｄ×（−１）となる。
【０１８７】
つぎに、調整値算出部は、表示装置１０ａ〜１０ｄごとに、初期設定したΔＲ、ΔＧ、ΔＢの各々について、下記のようにしてΔＬ´、Δa´、Δｂ´を求める。
【０１８８】
まず、調整値算出部は、各表示装置１０ａ〜１０ｄにアクセスし、各表示装置１０ａ〜１０ｄの基準データ（実施形態１および図２参照）を取得する。
【０１８９】
続いて、調整値算出部は、表示装置毎に以下の処理を行う。まず、調整値算出部は、図２に示す基準データのうち、５色分のＲＧＢ値とＸＹＺ値との対応関係から、ΔＲ、ΔＧ、ΔＢの各々に対応する、ΔＬ´、Δa´、Δｂ´を求める。
【０１９０】
例えば、ＲＧＢ値が（２４０，２４０，２４０）、（２２４，２４０，２４０）、（２４０，２２４，２４０）、（２４０，２４０，２２４）の４色のうち、（２４０，２４０，２４０）、（２２４，２４０，２４０）について、ＸＹＺ値をＬ＊ａ＊ｂ＊値に変換する。そして、ＲＧＢ値が（２２４，２４０，２４０）のＬ＊ａ＊ｂ＊値から、（２４０，２４０，２４０）のＬ＊ａ＊ｂ＊値を差し引いた差分（ΔＬ´、Δａ´，Δｂ´）を求める。この差分は、処理対象の表示装置において、ΔＲ＝−１６に対応するΔＬ´、Δa´、Δｂ´となる。さらに、ΔＬ´、Δa´、Δｂ´を１６で除算することにより、ΔＲ＝−１に対応するΔＬ´、Δa´、Δｂ´を求めることができる。
【０１９１】
同様に、ＲＧＢ値が（２４０，２２４，２４０）、（２４０，２４０，２４０）のＸＹＺ値を用いて、ΔＧ＝−１に対応するΔＬ´、Δa´、Δｂ´を求める。さらに、ＲＧＢ値が（２４０，２４０，２２４）、（２４０，２４０，２４０）のＸＹＺ値を用いて、ΔＢ＝−１に対応するΔＬ´、Δa´、Δｂ´を求める。
【０１９２】
調整値算出部は、このようにしてΔＲ、ΔＧ、ΔＢごとに、ΔＬ´、Δa´、Δｂ´との関係を求めた後、この関係を用いて、初期設定したΔＲ、ΔＧ、ΔＢの各々について、ΔＬ´、Δa´、Δｂ´を求める。そして、調整値算出部は、ΔＲ、ΔＧ、ΔＢごとに、ΔＬ´、Δa´、Δｂ´の絶対値が所定値以下に収束するまで、Ａ，Ｂ，Ｃ、Ｄの値を変更して、再設定（ΔＲ、ΔＧ、ΔＢの再設定）を繰り返す。調整値算出部は、ΔＬ´、Δa´、Δｂ´の値が所定値以下に収束した時のΔＲ、ΔＧ、ΔＢを調整値として確定する。
【０１９３】
調整値算出部は、以上のようにして表示装置１０毎に調整値を求めると、各表示装置１０にアクセスして、各表示装置１０に調整値を設定する。
【０１９４】
具体的には、表示装置１０は、配置判定装置６００に調整値算出部から調整値を受け付けると、調整値を記憶部２６に格納し、調整値を用いて映像処理を行う。例えば、基準階調が（２５５，２５５、２５５）で、マルチディスプレイ１０００の左上の表示装置１０ａのＲ，Ｇ，Ｂの調整値が（−３，−４，−５）であるとする。この場合、表示装置１０ａの映像データ処理部３２は、基準階調（２５５，２５５，２５５）に対する調整値加算後階調値として（２５２、２５１、２５０）を算出することになる。
【０１９５】
さらに、映像データ処理部３２は、Ｒ、Ｇ、Ｂのチャンネル毎に、基準階調（２５５）に対する調整値加算後の階調値と、最低階調値０との間を線形補間することによって、入力値（０〜基準階調）と、出力値（０〜調整値加算後階調値）との関係を示した１次元ルックアープテーブルとして記憶部２６に保持する。
【０１９６】
そして、映像データ処理部３２は、ムラ補正部３６よりも後段での出力階調補正用のデータとして前記の１次元ルックアープテーブルを用いる。つまり、映像データ処理部３２は、ムラ補正部３６による色ムラ補正後の映像データに対して前記の１次元ルックアープテーブルを用いて階調補正を行う。
【０１９７】
以上のように、表示装置毎に、出力階調を微調整するための調整値を設定することにより、最適配置後において隣接する表示装置間のギャップを抑制でき、マルチディスプレイ全体としての色の均一性を良好に保つことができる。
【０１９８】
また、配置判定装置６００は、図２８に示すようなＵＩをモニタに表示させ、このＵＩにより、情報の入力、配置判定の結果の出力、調整値の算出結果の出力を行うようになっていてもよい。図２８のＵＩにおいて、オペレータが、各表示装置１０の識別番号、モード番号、配置数、設置方向を入力し、実行ボタンを押す点までは、図２７のＵＩと同じである。
【０１９９】
実行ボタンが押されると、図２８のＵＩにおいても、結果出力部６００ｄが、表示装置の配置を示すレイアウト（符号４５０ｂ）を表示させる。また、結果出力部６００ｄは、図２８のＵＩにおいて、モニタＩＤと調整前の基準階調と調整値（調整量）との対応関係を表示させる（符号４６０）。このようにすれば、各表示装置１０の最適配置だけではなく、各表示装置１０に設定される調整値をオペレータに容易に知らしめることができる。
【０２００】
なお、以上の例では、基準階調を（２５５，２５５，２５５）として調整値を算出しているため、Ｒ，Ｇ，Ｂ値を負の方向しか調整できず、負の値の調整値を設定するようになっているが、例えば、基準階調を（２４０，２４０，２４０）とする場合、以上のように求めた負の調整値の他、正の方向に調整する正の調整値も算出し、いずれか一方を最終的な調整値として確定する。具体的には、以下の通りである。
【０２０１】
調整値算出部は、表示装置１０ａ〜１０ｄごとに、以上に示した例のようにして負の調整値を算出した後、表示装置１０ａ〜１０ｄごとに、夫々の装置の対象ポイントのΔａ、Δｂを用いて、下記のようにして正の調整値（ΔＲ、ΔＧ、ΔＢ）を初期設定する。
【０２０２】
Δａ＞０の場合、Ｇを上げる（緑色を強調）方向となるようにΔＧ＝調整係数Ｅとなる正の値を初期設定する。
Δａ＜０の場合、Ｒを上げる（赤色を強調）方向となるようにΔＲ＝調整係数Ｆとなる正の値を初期設定する。
Δｂ＞０の場合、Ｂを上げる（青色を強調）方向に、ΔＢ＝調整係数Ｇとなる正の値を初期設定する。
Δｂ＜０の場合、ＲとＧを上げる（黄色を強調）方向に、ΔＲ＝調整係数Ｈ、ΔＧ＝調整係数Ｈとなる正の値を初期設定する。
なお、調整係数Ｅ、Ｆ、Ｇ、Ｈは正の数であり、例えば、Ｅ＝２、Ｆ＝１、Ｇ＝２、Ｈ＝２のように設定する。ただし、これらは、表示装置の特性に依存した値となり、任意に設定して良い。
具体的には、Δａ＞０且つΔｂ＞０の場合、ΔＲ＝０、ΔＧ＝調整係数Ｅ、ΔＢ＝調整係数Ｇとなり、Δａ＜０且つΔｂ＞０の場合、ΔＲ＝調整係数Ｆ、ΔＧ＝０、ΔＢ＝調整係数Ｇとなる。また、Δａ＞０且つΔｂ＜０の場合、ΔＲ＝調整係数Ｈ、ΔＧ＝調整係数Ｅ＋調整係数Ｈ、ΔＢ＝０となり、Δａ＜０且つΔｂ＜０の場合、ΔＲ＝調整係数Ｆ＋調整係数Ｈ、ΔＧ＝調整係数Ｈ、ΔＢ＝０となる。
【０２０３】
つぎに、調整値算出部は、表示装置１０ａ〜１０ｄごとに、初期設定した正の調整値であるΔＲ、ΔＧ、ΔＢの各々について、ΔＬ´、Δa´、Δｂ´を求める。なお、求め方は、負の調整値の場合と同様である。例えば、ＲＧＢ値が（２４０，２４０，２４０）のＬ＊ａ＊ｂ＊値から、（２２４，２４０，２４０）のＬ＊ａ＊ｂ＊値を差し引いた差分（ΔＬ´、Δａ´，Δｂ´）を、ΔＲ＝＋１６に対応するΔＬ´、Δa´、Δｂ´として求め、ΔＬ´、Δa´、Δｂ´を１６で除算することにより、ΔＲ＝＋１に対応するΔＬ´、Δa´、Δｂ´を求めることができる。
【０２０４】
そして、調整値算出部は、正の調整値であるΔＲ、ΔＧ、ΔＢの各々について、ΔＬ´、Δa´、Δｂ´の絶対値が所定値以下に収束するまで、Ｅ、Ｆ、Ｇ、Ｈの値を変更して、再設定（ΔＲ、ΔＧ、ΔＢの再設定）を繰り返す。調整値算出部は、ΔＬ´、Δa´、Δｂ´の値が所定値以下に収束した時のΔＲ、ΔＧ、ΔＢを正の調整値として決定する。
【０２０５】
続いて、調整値算出部は、正の調整値のΔＲのΔＬ´、Δa´、Δｂ´から得られるΔＥと、負の調整値のΔＲのΔＬ´、Δa´、Δｂ´から得られるΔＥとを比較し、小さい方のΔＥに対応する調整値（ΔＲ）を最終的な値として確定する。また、ΔＧ、ΔＢについても同様にして最終的な値を確定する。これにより、最終的に確定するΔＲ、ΔＧ、ΔＢは、負の値になるとは限らず、正の値になることもあり得るのである。
【０２０６】
（実施形態４の変形例）
実施形態１では、１組の基準階調（２５５、２５５、２５５）に対する調整値を算出しているが、Ｒ，Ｇ，Ｂのチャンネルごとに基準階調を複数組設定し（例えば、（２５５、２５５、２５５）の他に（２２５、２２５、２２５）等）、夫々の基準階調に対する調整値を求め、調整値加算後の各基準階調を用いてスプライン補間を行うことにより、１次元ルックアープテーブルを作成してもよい。また、この場合、ＵＩ等を介して基準階調をユーザに指定させてもよい。
【０２０７】
また、実施形態２〜４の配置判定装置６００の判定結果に応じて各表示装置を配置したマルチディスプレイを使用していたが、当初設定していたモードを、ユーザの好みや使用環境に応じて切り替えたい場合がある。例えば、ユーザは、マルチディスプレイが設置されている環境の照明の明るさを変化させた場合、今まで使用していた輝度ムラ抑制優先モードから高輝度モードへ切り替えたり、逆に輝度はもう少し下げてより均一性を出して表示すべく、高輝度モードから輝度ムラ抑制優先モードに切り替えることを望むこともある。
【０２０８】
設定するモードを切り替えた場合、マルチディスプレイを構成している表示装置の配置を変更することも可能ではあるが、配置の変更には、時間と手間とコストがかってしまう。
【０２０９】
そのため、設定モードを切り替えた後に、マルチディスプレイを構成する各表示装置のレイアウトは変更せず、設定モード切り替えによる新たな表示装置間のバラツキをできるだけ抑えるような調整値（実施形態４の調整値）を算出してもよい。これにより、設定モードを切り替えても、配置変更を行うことなく表示装置間の均一性の劣化を低減できるというメリットがある。
【０２１０】
具体的には、各表示装置のモード切り替えを行った後、各表示装置１０に配置判定装置６００を接続する。配置判定装置６００は、各表示装置１０から測定データセットを読み込む。
【０２１１】
その後、配置判定装置６００は、ユーザ操作によって、切り替え後のモードと、既存のレイアウトを示す情報とを入力する。なお、既存のレイアウトを示す情報としては、表示装置１０の識別番号と、レイアウトを示す位置情報（座標値等）との対応関係を示す情報が有り得る。この情報をユーザに入力させる。
【０２１２】
続いて、配置判定装置６００は、実施形態４の手法を用いて、切り替え後のモードおよび既存のレイアウトに対応する調整値を求め、各表示装置１０に設定する。
【０２１３】
以上の手法により、設定モードの変更を行った場合でも、表示装置単体に格納されている測定データを使って、調整値を算出、設定することによって、マルチディスプレイを構成している表示装置のレイアウトを変更しなくても、新しい設定モードにおいて、できるだけ表示装置間のバラツキを抑えた表示ができるようになる。
【０２１４】
また、以上では、設定モードを変更したときに調整値を求める例を示したが、マルチディスプレイ設置時において最適配置の判定を行わずにユーザの任意で各表示装置を適当に配置した上で使用するモードを設定し、その後に、本変形例の手順で調整値を求めるようにしてもよい。
【０２１５】
[ソフトウェアによる実現例〕
制御部２５、配置判定装置６００に含まれる各部６００ａ〜６００ｄは、集積回路（ＩＣチップ）等に形成された論理回路（ハードウェア）によって実現してもよいし、ＣＰＵ（Central Processing Unit）を用いてソフトウェアによって実現してもよい。
【０２１６】
後者の場合、制御部２５、配置判定装置６００に含まれる各部６００ａ〜６００ｄは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０２１７】
[まとめ]
（実施形態１のまとめ）
本発明の態様１の映像処理装置（制御部２５）は、入力指示に応じて、画質補正モードである第１モードと第２モードとを少なくとも切り替え可能な切替部（統括制御部３１）と、第１および第２モードのいずれの場合であっても、較正処理を実行して得られる色ムラ補正用データを用いて、表示パネル（表示部１４）に表示させる映像の映像データに対して画素毎の色ムラ補正を行う補正部（ムラ補正部３６）とを備え、前記補正部は、前記第２モードでは、各画素に対して一律に前記映像データの階調値を低階調側にシフトさせる階調制限処理を行うことによって前記第１モードよりも前記階調値を低階調側に抑制した上で、前記色ムラ補正を施す。
【０２１８】
本発明の態様１の構成において、映像データの階調値を低階調側にシフトさせる階調制限処理を行った上で色ムラ補正を行う第２モードによれば、階調制限処理を行わずに色ムラ補正を行う場合や、前記シフトの程度を第２モードよりも抑えた上で階調制限処理を行って色ムラ補正を行う場合よりも、画像全体の輝度が低くなるものの、色ムラ抑制に伴う疑似的な輝度ムラ抑制の程度が高くなることがわかった。
【０２１９】
そこで、本発明の態様１において、高輝度表示を行う必要性の高いケースでは（例えばサイネージとして使用するケース）、前記第１モードに切り替えることにより、疑似的な輝度ムラ抑制の程度を抑えるものの、高輝度域の表示を可能にし、輝度ムラを抑制する必要性の高いケースでは（例えばマルチディスプレイに含まれる表示装置の一つとして使用するケース）、第２モードに切り替えることにより、画像全体の輝度を低くするものの、疑似的な輝度ムラ抑制度を高くできる。つまり、高輝度表示を行う必要性の高い用途では高輝度表示を実現でき、輝度ムラを抑制する必要性が高い用途では輝度ムラ抑制度を高めることができ、表示装置の用途が変化しても夫々の用途に適した映像処理を実現できるという効果を奏する。
【０２２０】
なお、本発明の態様１は、第２モードにおいて、前記階調制限処理を行った上で色ムラ補正を行う事により、色ムラ抑制を行いつつ、色ムラ抑制に伴って生じる輝度ムラの疑似的抑制の効果を増大させるという利点を有するものである。ここで、前記階調制限処理は、全画素に対して同じ補正を一律に行うものであるためコンピュータに過度の負担を与えるものではない。これにより、本願発明では、コンピュータの負担をできるだけ抑制しつつ、色ムラと輝度ムラとの両方を効果的に低減している。これに対し、特許文献１（特開２０１３−９７１１５号公報）は、そもそも色ムラ補正を行っている構成ではないため、本願発明のような利点を有するものではない。
【０２２１】
本発明の態様２の映像処理装置は、前記補正部が、前記第１モードでは前記階調制限処理を行うことなく前記色ムラ補正を行う。本発明の態様３の映像処理装置は、態様２において、前記切替部が、前記入力指示に応じて、第１モード、第２モード、および第３モードに切り替え可能になっており、前記補正部が、前記第３モードでは、前記第２モードよりも前記シフトの程度を抑えて前記階調制限処理を行った上で前記色ムラ補正を施す。
【０２２２】
また、本発明の態様４の映像処理装置は、前記補正部が、第１モードでは、前記第２モードよりも前記シフトの程度を抑えて前記階調制限処理を行った上で、前記色ムラ補正を行う。また、本発明の態様５の映像処理装置は、態様４において、前記切替部は、前記入力指示に応じて、第１モード、第２モード、および第３モードに切り替え可能になっており、前記補正部は、前記第３のモードでは、前記第２モードよりも前記シフトの程度を抑えつつ前記第１モードよりも前記シフトの程度を強めて前記階調制限処理を行った上で、前記色ムラ補正を施すようになっている。
【０２２３】
本発明の態様３、５の映像処理装置によれば、第１モードにしなければならないほど高輝度を維持する必要がないが、前記第２モードでは輝度不足が生じるようなケースや、前記第２モードにしなければならないほど表示ムラ抑制を行う必要がないが、前記第１モードでは表示ムラが目立ってしまうようなケースにおいて、第３のモードに設定することにより、これらケースに適した映像処理を実現できるという効果を奏する。
【０２２４】
本発明の態様６の映像処理装置は、前記補正部が、前記第１モードおよび前記第２モードにおいて色ムラ補正用テーブルを共用する。本発明の態様７の映像処理装置は、前記補正部が、前記第１モード、前記第２モード、および、前記第３モードにおいて色ムラ補正用テーブルを共用する。
【０２２５】
本発明の態様６，７によれば、全てのモードにおいて色ムラ補正用テーブルを共用しているため、モード毎にムラ補正用テーブルを用意するような構成に比べ、記憶容量を節約できるという効果がある。
【０２２６】
（実施形態２〜４のまとめ）
本発明の態様８は、マルチディスプレイにおける各表示装置の最適配置を判定する配置判定装置であって、各表示装置は、ムラ補正の程度が互いに異なる複数のモードを有しており、配置判定装置は、ユーザの入力操作に応じて前記複数のモードのうちのいずれかのモードを選択するモード選択部と、各表示装置１０について前記複数のモードの各々にて表示させた試験画像の色を示す測定値を予め格納している記憶部（設置サーバの記憶部）に記憶されている情報のうち、モード選択部６００ｂにて選択されるモードに関する測定値を用いて、モード選択部にて選択されるモードにおける各表示装置１０の最適配置を判定する判定部（配置判定部６００ｃ）と、を備えている。
【０２２７】
本発明の態様８によれば、複数モードの各々にて補正された試験画像を測定した測定値のうち、ユーザに指定されたモードの測定値を用いて、ユーザに指定されたモードでの最適配置を判定している。それゆえ、ムラ補正の程度が互いに異なる複数のモードを有する表示装置を用いたマルチディスプレイについて、実使用時のモードに対する最適な配置を判定できるという効果を奏する。
【０２２８】
本発明の態様９の配置判定装置は、態様８において、前記複数のモードが、少なくとも第１および第２モードを含み、第１および第２モードは、いずれも、較正処理を実行して得られる色ムラ補正用データを用いて、表示パネルに表示させる映像の映像データに対して画素毎の色ムラ補正を行うモードであり、前記第２モードは、各画素に対して一律に前記映像データの階調値を低輝度側にシフトさせる階調制限処理を行うことによって前記第１モードよりも前記階調値を低輝度側に抑制した上で前記色ムラ補正を施すようになっている。
【０２２９】
また、本発明の態様１０の配置判定装置は、態様８または９において、各表示装置の識別情報と各表示装置の位置情報とを対応付けた情報を判定結果として表示部に表示させる結果出力部を備えている。これにより、ユーザは、最適配置の判定結果を容易に認識できるという効果を奏する。
【０２３０】
本発明の態様１１の配置判定装置は、態様８〜１０において、前記マルチディスプレイを構成する表示装置毎に、前記モード選択部にて選択されるモードについて、（ａ）所定の基準階調に対応する試験画像を表示させる場合の前記測定値の目標値であって各表示装置に共通の目標値と、前記基準階調に対応する試験画像を表示させる場合の前記測定値との色差を算出し、（ｂ）前記基準階調の試験画像を表示させる場合の前記測定値を前記目標値に近づけるために前記基準階調に対して設定する調整値を前記色差に基づいて算出する調整値算出部を備えていることを特徴とする。
【０２３１】
本発明の態様１１によれば、表示装置毎に、前記調整値を用いて出力階調を調整すれば、隣接する表示装置間でのギャップを抑制できるというメリットがある。なお、調整値の用い方であるが、以下のような手法は一例としてあり得る。まず、各表示装置に対して、夫々の調整値を設定する。つぎに、各表示装置において、色成分ごとに、調整値を用いて基準階調を調整し、調整後基準階調と最低階調（例えば０）との間を線形補間することによって、入力値と出力値との関係を示した１次元ルックアープテーブルとして保持する。各表示装置は、前記の１次元ルックアープテーブルを用いて、色ムラ補正後に出力階調補正を行う。
【０２３２】
また、本発明の態様１１は、マルチディスプレイにおける各表示装置の最適配置を判定する配置判定方法であって、各表示装置は、ムラ補正の程度が互いに異なる複数のモードを有し、表示装置ごとに前記複数のモードの各々において表示装置に表示させた試験画像の色を示す測定値を測定する測定工程と、前記測定工程にて得られた測定値のうち、前記複数のモードのうちユーザに指定されている指定モードに関する測定値を参照して、前記指定モードにおける各表示装置の最適配置を判定する判定工程とを含む。
【０２３３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２３４】
本発明は、表示装置、または、複数の表示装置を配列してなるマルチディスプレイシステムに利用可能である。
【符号の説明】
【０２３５】
１０    表示装置
１４    表示部（表示パネル）
２５    制御部（映像処理装置）
２６    記憶部
３１    統括制御部（切替部）
３５    較正処理部
３６    ムラ補正部（補正部）
４０    システム制御装置
５０    測定装置
６００    配置判定装置
６００ａ  測定データ取得部
６００ｂ  モード選択部
６００ｃ  判定部（配置判定部）
６００ｄ  結果出力部
６０１    設置サーバ
１０００    マルチディスプレイ
【図１】
0006378031.tif 000005
【図２】
0006378031.tif 000006
【図３】
0006378031.tif 000007
【図４】
0006378031.tif 000008
【図５Ａ】
0006378031.tif 000009
【図５Ｂ】
0006378031.tif 000010
【図６】
0006378031.tif 000011
【図７】
0006378031.tif 000012
【図８】
0006378031.tif 000013
【図９】
0006378031.tif 000014
【図１０】
0006378031.tif 000015
【図１１】
0006378031.tif 000016
【図１２】
0006378031.tif 000017
【図１３】
0006378031.tif 000018
【図１４】
0006378031.tif 000019
【図１５】
0006378031.tif 000020
【図１６】
0006378031.tif 000021
【図１７Ａ】
0006378031.tif 000022
【図１７Ｂ】
0006378031.tif 000023
【図１８】
0006378031.tif 000024
【図１９】
0006378031.tif 000025
【図２０】
0006378031.tif 000026
【図２１】
0006378031.tif 000027
【図２２】
0006378031.tif 000028
【図２３】
0006378031.tif 000029
【図２４】
0006378031.tif 000030
【図２５】
0006378031.tif 000031
【図２６】
0006378031.tif 000032
【図２７】
0006378031.tif 000033
【図２８】
0006378031.tif 000034
【図２９】
0006378031.tif 000035